(57)【要約】動的干渉バジェットを使用する第１のセクターを含む第１の基地局を含む通信ネットワークにおいてアップリンク伝送をスケジュールすることを容易にするシステム及び方法において、１又は複数のモバイル・デバイスからチャネル品質レポートを受信すること(１５０２)、第１の干渉バジェット・レベルに基づいて、第１のタイム・スロットの間の第１のチャネルの上での第１のセクターからのアップリンク伝送について第１のモバイル・デバイスをスケジュールすること(１５０４)、第２の干渉バジェット・レベルに基づいて、第２のタイム・スロットの間の前記第１のチャネルの上での前記第１のセクターからのアップリンク伝送について第２のモバイル・デバイスをスケジュールすること(１５０６)（前記第１の干渉バジェット・レベル及び前記第２の干渉バジェット・レベルは、時間とともに変化する第１の干渉バジェット・パターンから判定される）、及び、前記スケジュールされたアップリンク伝送に関係する前記第１のモバイル・デバイス及び前記第２のモバイル・デバイスに対してアサインメントを送信すること(１５０８)を含む。
2011504706.tif 000002
【特許請求の範囲】
【請求項１】
動的干渉バジェットを使用する第１のセクターを含む第１の基地局を含む通信ネットワークにおいてアップリンク伝送をスケジュールすることを容易にする方法において、
１又は複数のモバイル・デバイスからチャネル品質レポートを受信し、
第１の干渉バジェット・レベルに基づいて、第１のタイム・スロットの間の第１のチャネルの上での第１のセクターからのアップリンク伝送について第１のモバイル・デバイスをスケジュールすることと、
第２の干渉バジェット・レベルに基づいて、第２のタイム・スロットの間の前記第１のチャネルの上での前記第１のセクターからのアップリンク伝送について第２のモバイル・デバイスをスケジュールすることと（前記第１の干渉バジェット・レベル及び前記第２の干渉バジェット・レベルは、時間とともに変化する第１の干渉バジェット・パターンから判定される）、
前記スケジュールされたアップリンク伝送に関係する前記第１のモバイル・デバイス及び前記第２のモバイル・デバイスに対してアサインメントを送信することを含む方法。
【請求項２】
前記アサインメントは、アップリンク伝送について対応するモバイル・デバイスに割り当てられる最大干渉バジェットに関係する情報を含む請求項１の方法。
【請求項３】
前記チャネル品質レポートは、前記サービスする第１の基地局からそれぞれのモバイル・デバイスへの信号強度と、干渉する基地局からの信号強度の加重和との間の干渉比の測定値を含む請求項１の方法。
【請求項４】
前記第１のタイム・スロットでの前記第１の基地局の前記第１のセクターにおける前記第１のチャネルの上のスケジュールされたモバイル・デバイスから発される総和干渉は、特定のタイム・スロットに対応するそれぞれの干渉バジェット・レベルに制限される請求項３の方法。
【請求項５】
第３の干渉バジェット・レベルに基づいて、前記第１のタイム・スロットの間の第２のチャネルの上での前記第１のセクターからのアップリンク伝送について第３のモバイル・デバイスをスケジュールすることと、
第４の干渉バジェット・レベルに基づいて、前記第２のタイム・スロットの間の前記第２のチャネルの上での前記第１のセクターからのアップリンク伝送について第４のモバイル・デバイスをスケジュールすること（前記第３及び第４の干渉バジェット・レベルは、前記第２の干渉バジェット・パターンから判定される）を更に含む請求項１の方法。
【請求項６】
前記第１の干渉バジェット・レベル及び前記第３の干渉バジェット・レベルの総和は、前記第２の干渉バジェット・レベル及び前記第４の干渉バジェット・レベルの総和から０．５ｄＢ以内にある請求項５の方法。
【請求項７】
前記第１の基地局は、第２のセクターを更に含み、
前記方法は、
第５の干渉バジェット・レベルに基づいて、前記第１のタイム・スロットの間の前記第１のチャネルの上での前記第２のセクターからのアップリンク伝送について第５のモバイル・デバイスをスケジュールすることと、
第６の干渉バジェット・レベルに基づいて、前記第２のタイム・スロットの間の前記第１のチャネルの上での前記第２のセクターからのアップリンク伝送について第６のモバイル・デバイスをスケジュールすること（前記第５及び第６の干渉バジェット・レベルは、前記第３の干渉バジェット・パターンから判定される）を更に含む請求項１の方法。
【請求項８】
前記第１及び前記第３の干渉バジェット・パターンは、周期的であり、異なる周期をもつ請求項７の方法。
【請求項９】
前記第１及び前記第３の干渉バジェット・パターンは、周期的であり、実質的に同様の周期をもち且つ異なる位相をもつ請求項７の方法。
【請求項１０】
前記通信ネットワークは、第３のセクターを含む第２の基地局を更に含み、
前記方法は、
第７の干渉バジェット・レベルに基づいて、前記第１のタイム・スロットの間の前記第１のチャネルの上での前記第３のセクターからのアップリンク伝送について第7のモバイル・デバイスをスケジュールすることと、
第８の干渉バジェット・レベルに基づいて、前記第２のタイム・スロットの間の前記第１のチャネルの上での前記第３のセクターからのアップリンク伝送について第８のモバイル・デバイスをスケジュールすること（前記第７及び第８の干渉バジェット・レベルは、前記第４の干渉バジェット・パターンから判定される）を更に含む請求項１の方法。
【請求項１１】
前記第１及び前記第３の干渉バジェット・パターンは、周期的であり、異なる周期をもつ請求項１０の方法。
【請求項１２】
前記第１及び前記第３の干渉バジェット・パターンは、周期的であり、実質的に同様の周期をもち且つ異なる位相をもつ請求項１０の方法。
【請求項１３】
第１の干渉バジェット・レベルに基づいて、第１のタイム・スロットの間の第１のチャネルの上での第１のセクターからのアップリンク伝送について第１のモバイル・デバイスをスケジュールすること、第２の干渉バジェット・レベルに基づいて、第2のタイム・スロットの間の前記第１のチャネルの上での前記第１のセクターからのアップリンク伝送について第２のモバイル・デバイスをスケジュールすること、及び、前記スケジュールされたアップリンク伝送に関係する第１のモバイル・デバイス及び前記第２のモバイル・デバイスに対してアサインメントを送信することに関係するインストラクションを保持するメモリ（前記第１の干渉バジェット・レベル及び前記第２の干渉バジェット・レベルは、時間変化する干渉バジェット・パターンからの時間の関数係として判定される）と、
前記メモリに接続され、前記メモリに保持される前記インストラクションを実行するように構成されたプロセッサとを含む無線通信装置。
【請求項１４】
前記メモリは、１又は複数のモバイル・デバイスからチャネル品質レポートを得ることに関係するインストラクションを更に保持し、
前記チャネル品質レポートは、前記サービスする基地局からそれぞれのモバイル・デバイスへの信号強度と、干渉する基地局からの信号強度の加重和との間の干渉比の測定値を含む請求項１３の無線通信装置。
【請求項１５】
前記メモリは、第３の干渉バジェット・レベルに基づいて、前記第１のタイム・スロットの間の第２のチャネルの上での前記第１のセクターからのアップリンク伝送について第３のモバイル・デバイスをスケジュールすること、及び第４の干渉バジェット・レベルに基づいて、前記第２のタイム・スロットの間の前記第２のチャネルの上での前記第１のセクターからのアップリンク伝送について第４のモバイル・デバイスをスケジュールすること（前記第３及び第４の干渉バジェット・レベルは、前記第２の干渉バジェット・パターンから判定される）に関係するインストラクションを更に保持する請求項１３の無線通信装置。
【請求項１６】
前記メモリは、第５の干渉バジェット・レベルに基づいて、前記第１のタイム・スロットの間の前記第１のチャネルの上での第２のセクターからのアップリンク伝送について第５のモバイル・デバイスをスケジュールすること、及び第６の干渉バジェット・レベルに基づいて、前記第２のタイム・スロットの間の前記第１のチャネルの上での前記第２のセクターからのアップリンク伝送について第６のモバイル・デバイスをスケジュールすること（前記第５及び第６の干渉バジェット・レベルは、前記第３の干渉バジェット・パターンから判定され、前記第１及び第３の干渉バジェット・パターンは、周期的である）を更に保持する請求項１３の無線通信装置。
【請求項１７】
無線通信基地局が前記第１のセクター及び前記第２のセクターを含む請求項１６の無線通信装置。
【請求項１８】
第１の無線通信基地局が前記第１のセクターを含み、第２の無線通信基地局が前記第２のセクターを含む請求項１６の無線通信装置。
【請求項１９】
動的干渉バジェットを利用することによりアップリンク伝送をスケジュールすることを可能にする無線通信装置において、
第１の干渉バジェット・レベルに基づいて、第１のタイム・スロットの間の第１のチャネルの上での第１のセクターからのアップリンク伝送について第１のモバイル・デバイスをスケジュールするための手段と（前記第１の干渉バジェット・レベルは、時間とともに変化する干渉バジェット・パターンから判定される）、
第２の干渉バジェット・レベルに基づいて、第２のタイム・スロットの間の前記第１のチャネルの上での前記第１のセクターからのアップリンク伝送について第２のモバイル・デバイスをスケジュールするための手段と（前記第２の干渉バジェット・レベルは、前記干渉バジェット・パターンから判定される）、
前記スケジュールされたモバイル・デバイスに対して、前記アップリンク伝送に関係するアサインメントを送信するための手段とを含む無線通信装置。
【請求項２０】
第３の干渉バジェット・レベルに基づいて、前記第１のタイム・スロットの間の第２のチャネルの上での前記第１のセクターからのアップリンク伝送について第３のモバイル・デバイスをスケジュールするための手段と（前記第３の干渉バジェット・レベルは、時間とともに変化する第２の干渉バジェット・パターンから判定される）、
第４の干渉バジェット・レベルに基づいて、前記第２のタイム・スロットの間の前記第２のチャネルの上での前記第１のセクターからのアップリンク伝送について第４のモバイル・デバイスをスケジュールするための手段と（前記第４の干渉バジェット・レベルは、前記第２の干渉バジェット・パターンから判定される）を更に含む請求項１９の無線通信装置。
【請求項２１】
第５の干渉バジェット・レベルに基づいて、前記第１のタイム・スロットの間の前記第１のチャネルの上での前記第２のセクターからのアップリンク伝送について第５のモバイル・デバイスをスケジュールするための手段と（前記第５の干渉バジェット・レベルは、時間とともに変化する第３の干渉バジェット・パターンから判定される）、
第６の干渉バジェット・レベルに基づいて、前記第２のタイム・スロットの間の前記第１のチャネルの上での前記第２のセクターからのアップリンク伝送について第６のモバイル・デバイスをスケジュールするための手段と（前記第６の干渉バジェット・レベルは、前記第３の干渉バジェット・パターンから判定される）を更に含む請求項１９の無線通信装置。
【請求項２２】
動的干渉バジェットを利用することによりアップリンク伝送をスケジュールすることを可能にする無線通信装置において、
第１の干渉バジェット・レベルに基づいて、第１のタイム・スロットの間の第１のチャネルの上での第１のセクターからのアップリンク伝送について第１のモバイル・デバイスをスケジュールし、
第２の干渉バジェット・レベルに基づいて、第２のタイム・スロットの間の前記第１のチャネルの上での前記第１のセクターからのアップリンク伝送について第２のモバイル・デバイスをスケジュールする（前記第１の干渉バジェット・レベル及び前記第２の干渉バジェット・レベルは、時間変化する第１の干渉バジェット・パターンに基づく時間の関数として識別される）ための格納された機械実行可能なインストラクションをもつ機械読み取り可能な媒体。
【請求項２３】
前記機械実行可能なインストラクションは、
第３の干渉バジェット・レベルに基づいて、前記第１のタイム・スロットの間の第２のチャネルの上での前記第１のセクターからのアップリンク伝送について第３のモバイル・デバイスをスケジュールすることと、
第４の干渉バジェット・レベルに基づいて、前記第２のタイム・スロットの間の前記第２のチャネルの上での前記第１のセクターからのアップリンク伝送について第４のモバイル・デバイスをスケジュールする（前記第３の干渉バジェット・レベル及び前記第４の干渉バジェット・レベルは、時間変化する第２の干渉バジェット・パターンに基づく時間の関数として識別される）ことを更に含む請求項２２の機械読み取り可能な媒体。
【請求項２４】
前記機械実行可能なインストラクションは、
第５の干渉バジェット・レベルに基づいて、前記第１のタイム・スロットの間の前記第１のチャネルの上での前記第２のセクターからのアップリンク伝送について第５のモバイル・デバイスをスケジュールすることと、
第６の干渉バジェット・レベルに基づいて、前記第２のタイム・スロットの間の前記第１のチャネルの上での前記第２のセクターからのアップリンク伝送について第６のモバイル・デバイスをスケジュールする（前記第５の干渉バジェット・レベル及び前記第６の干渉バジェット・レベルは、時間変化する第３の干渉バジェット・パターンに基づく時間の関数として識別される）ことを更に含む請求項２２の機械読み取り可能な媒体。
【請求項２５】
無線通信システムにおける装置において、
第１の干渉バジェット・レベルに基づいて、第１のタイム・スロットの間の第１のチャネルの上での第１のセクターからのアップリンク伝送について第１のモバイル・デバイスをスケジュールし、
第２の干渉バジェット・レベルに基づいて、第２のタイム・スロットの間の前記第１のチャネルの上での前記第１のセクターからのアップリンク伝送について第２のモバイル・デバイスをスケジュールする（前記第１の干渉バジェット・レベル及び前記第２の干渉バジェット・レベルは、時間変化する第１の干渉バジェット・パターンに基づく時間の関数として識別される）ように構成されたプロセッサを含む装置。
【発明の詳細な説明】
【技術分野】
【０００１】
以下の説明は、一般に無線通信に関係し、より詳しくは無線通信システムにおけるアップリンク・スケジューリングに関係する。
【背景技術】
【０００２】
通信の様々なタイプを提供するために、無線通信システムが広く配置される;例えば、ボイス及び／又はデータが、そのような無線通信システムにより提供されることができる。典型的な無線通信システム又はネットワークは、１又は複数の共有資源に対するアクセスを、複数のユーザへ提供することができる。例えば、システムは、周波数分割多重（ＦＤＭ）、時分割多重（ＴＤＭ）、符号分割多重（ＣＤＭ）、直交周波数分割多重（ＯＦＤＭ）などのような、様々な多元接続技術を使用することができる。
【０００３】
一般的な無線通信システムは、あるカバレージエリアを提供する１又は複数の基地局を使用する。典型的な基地局は、ブロードキャスト・サービス、マルチキャスト・サービス及び／又はユニキャスト・サービスのために複数のデータストリームを送信することができる。ここで、一つのデータストリームは、モバイル・デバイスに対して独立した受信インタレストであり得るデータのストリームであっても良い。そのような基地局のカバレージエリアの範囲内のモバイル・デバイスは、複合ストリームによって運ばれる一つの、二つ以上の又はすべてのデータストリームを受信するために、使用されることができる。同様に、モバイル・デバイスは、基地局又は他のモバイル・デバイスにデータを送信することができる。
【０００４】
一般に、無線多元接続通信システムは、同時に複数のモバイル・デバイスに関する通信をサポートすることができる。各々のモバイル・デバイスは、順方向リンク上の伝送及び逆方向リンク上の伝送を介して１又は複数の基地局と通信することができる。順方向リンク（又は、ダウンリンク）は、基地局からモバイル・デバイスへの通信リンクを指し示し、逆方向リンク（又は、アップリンク）は、モバイル・デバイスから基地局への通信リンクを指し示す。
【０００５】
無線通信システムは、しばしばダウンリンク伝送及びアップリンク伝送をスケジュールする。一例として、基地局は、一般に、アップリンク上の通信について利用するために、複数のモバイル・デバイスのために、チャネル、時間、周波数などを、割り当てる。従来のアップリンク・スケジューリング・スキームは、一般的に電力制御アルゴリズムに基づく。そのようなアルゴリズムの目標は、システム中のすべてのユーザについて維持可能な（sustainable）伝送レートを達成することである。ＣＤＭＡシステムに関して、異なる複数のユーザについて目標とされる複数のレートは、通常、互いに実質的に同程度になるように選択されることができる;それゆえ、受信された信号対干渉雑音比（ＳＩＮＲ）が特定の閾値を超えるように、各々のモバイル・デバイスの送信電力が制御可能である。そのような方策は、ボイス・ユーザ指向のネットワークでの利用に対してより有益である可能性がある。データ・ネットワークに関して、電力制御アルゴリズムをより一般的なレート制御フレームワークに拡張するフレームワークが、使用されることができる。ここでは、レート・ベクトルが容量領域の範囲内にある限り、各々のユーザが異なるレートを目標にすることができる。このアルゴリズムの下で、システムは、与えられた効用関数を最大にすることができる容量領域内のレート・ベクトルに収束することができる。しかし、目標とされるレート・ベクトルは、あらゆるユーザがあらゆる時点で送信する点で、維持可能なままであり、アルゴリズムは、あらゆるモバイルが特定のレートで送信する均衡をもたらす。インター・セル干渉及びイントラ・セル干渉の存在に起因して、そのような維持可能なレートがユーザのための最適な達成可能なレートでない可能性があるので、維持可能なレートは、非効率性をもたらす可能性がある。
【発明の概要】
【０００６】
以下は、１又は複数の実施形態の基本的な理解を与えるために、当該実施形態の簡易化した概要を示す。この概要は、すべての予期された実施形態の外延的な要旨ではない。また、この概要は、すべての実施形態の重要な（key）又は重大な（critical）な要素を特定するものではないこと、あるいは、任意の又は全ての実施形態の範囲を表すものではないこと意図されている。唯一の目的は、後で示されるより詳細な説明に対する前置きとして簡易化した形で１又は複数の実施形態のいくつかの概念を示すことである。
【０００７】
１又は複数の実施態様及びその対応する開示に従って、様々な態様が、アップリンク伝送のスケジューリングを容易にすることに関連して、説明される。例えば、異なるモバイル・デバイスが異なるタイム・スロットの間に送信するようにスケジュールされることができるように、時分割スキームが利用されることができる;しかし、静的スキームが使用されることができることも考えられる。ある例に従って、干渉バジェットは、基地局に関連する時間変化する重み係数と結合されることができる;重み係数は、予め定義されていることができ、及び／又は、（例えば、負荷バランシング・メカニズムに基づいて）適応的に調整されることができる。さらに、重み付けされた干渉バジェットは、（例えば、モバイル・デバイスのパス・ロス率に少なくとも部分的に基づいて）アップリンク伝送についてモバイル・デバイスを選択するために利用されることができる。更なる例として、異なる複数の干渉バジェットが、特定の時刻における一つのセクターの異なる複数のチャネルのために利用されることができ、また、異なる複数の干渉バジェットは、それぞれのチャネル上のアップリンク・スケジューリングのために使用されることができる。他の例によると、基地局は、（１又は複数の）チャネル品質レポートを生成するために（１又は複数の）無線端末により利用されるべき負荷率を割り当てることができる（例えば、（１又は複数の）負荷率は、パス・ロス率を判定するために、（１又は複数の）無線端末により利用される）。割り当てられる負荷率は、静的であることも、あるいは、動的であること可能である。さらに、基地局は、（１又は複数の）チャネル品質レポートを得ることができ、その後、アップリンク伝送についてモバイル・デバイスを選択することができる。
【０００８】
関連する態様によると、動的干渉バジェットを使用する第１のセクターを含む第１の基地局を含む通信ネットワークにおいてアップリンク伝送をスケジュールすることを容易にする方法が本明細書で説明される。本方法は、１又は複数のモバイル・デバイスからチャネル品質レポートを受信することを含むことができる。さらに、本方法は、第１の干渉バジェット・レベルに基づいて、第１のタイム・スロットの間の第１のチャネルの上での第１のセクターからのアップリンク伝送について第１のモバイル・デバイスをスケジュールすることを含むことができる。さらに、本方法は、第２の干渉バジェット・レベルに基づいて、第２のタイム・スロットの間の前記第１のチャネルの上での前記第１のセクターからのアップリンク伝送について第２のモバイル・デバイスをスケジュールすることを含むことができる（前記第１の干渉バジェット・レベル及び前記第２の干渉バジェット・レベルは、時間とともに変化する第１の干渉バジェット・パターンから判定される）。さらに、本方法は、前記スケジュールされたアップリンク伝送に関係する前記第１のモバイル・デバイス及び前記第２のモバイル・デバイスに対してアサインメントを送信することを含むことができる。
【０００９】
他の態様は、無線通信装置に関係する。本無線通信装置は、第１の干渉バジェット・レベルに基づいて、第１のタイム・スロットの間の第１のチャネルの上での第１のセクターからのアップリンク伝送について第１のモバイル・デバイスをスケジュールすること、第２の干渉バジェット・レベルに基づいて、第2のタイム・スロットの間の前記第１のチャネルの上での前記第１のセクターからのアップリンク伝送について第２のモバイル・デバイスをスケジュールすること、及び、前記スケジュールされたアップリンク伝送に関係する第１のモバイル・デバイス及び前記第２のモバイル・デバイスに対してアサインメントを送信することに関係するインストラクションを保持するメモリを含むことができる（前記第１の干渉バジェット・レベル及び前記第２の干渉バジェット・レベルは、時間変化する干渉バジェット・パターンからの時間の関数係として判定される）。さらに、本無線通信装置は、前記メモリに接続され、前記メモリに保持される前記インストラクションを実行するように構成されたプロセッサを含むことができる。
【００１０】
さらに他の態様は、動的干渉バジェットを利用することによりアップリンク伝送をスケジュールすることを可能にする無線通信装置に関係する。本無線通信装置は、第１の干渉バジェット・レベルに基づいて、第１のタイム・スロットの間の第１のチャネルの上での第１のセクターからのアップリンク伝送について第１のモバイル・デバイスをスケジュールするための手段を含むことができる（前記第１の干渉バジェット・レベルは、時間とともに変化する干渉バジェット・パターンから判定される）。さらに、本無線通信装置は、第２の干渉バジェット・レベルに基づいて、第２のタイム・スロットの間の前記第１のチャネルの上での前記第１のセクターからのアップリンク伝送について第２のモバイル・デバイスをスケジュールするための手段を含むことができる（前記第２の干渉バジェット・レベルは、前記干渉バジェット・パターンから判定される）。さらに、本無線通信装置は、前記スケジュールされたモバイル・デバイスに対して、前記アップリンク伝送に関係するアサインメントを送信するための手段を含むことができる。
【００１１】
さらに他の態様は、第１の干渉バジェット・レベルに基づいて、第１のタイム・スロットの間の第１のチャネルの上での第１のセクターからのアップリンク伝送について第１のモバイル・デバイスをスケジュールし、第２の干渉バジェット・レベルに基づいて、第２のタイム・スロットの間の前記第１のチャネルの上での前記第１のセクターからのアップリンク伝送について第２のモバイル・デバイスをスケジュールする（前記第１の干渉バジェット・レベル及び前記第２の干渉バジェット・レベルは、時間変化する第１の干渉バジェット・パターンに基づく時間の関数として識別される）ための格納された機械実行可能なインストラクションをもつ機械読み取り可能な媒体に関係する。
【００１２】
他の態様に従って、無線通信システムにおける装置は、プロセッサを含むことができる。該プロセッサは、第１の干渉バジェット・レベルに基づいて、第１のタイム・スロットの間の第１のチャネルの上での第１のセクターからのアップリンク伝送について第１のモバイル・デバイスをスケジュールするように構成されることができる。さらに、該プロセッサは、第２の干渉バジェット・レベルに基づいて、第２のタイム・スロットの間の前記第１のチャネルの上での前記第１のセクターからのアップリンク伝送について第２のモバイル・デバイスをスケジュールするように構成されることができる（前記第１の干渉バジェット・レベル及び前記第２の干渉バジェット・レベルは、時間変化する第１の干渉バジェット・パターンに基づく時間の関数として識別される）。
【００１３】
前述の目的及び関連する目的（ends）の達成に向けて、１又は複数の実施形態は、以下に十分に説明され及びクレームで特に指摘された特徴を含む。以下の説明及び添付図面は、１又は複数の実施形態の或る説明のための態様を詳細に説明する。しかしながら、これら態様は、様々な実施形態の原理が使用できる様々な方法のうちのほんの少しを示している。また、説明された実施形態はそのようなすべての態様及びそれらの同等物を含むことが意図されている。
【図面の簡単な説明】
【００１４】
【図１】図１は、本明細書で説明される様々な態様に従った無線通信システムの説明図である。
【図２】図２は、干渉バジェット（interference budget）に少なくとも部分的に基づいてアップリンク伝送をスケジュールする例示的なシステムの説明図である。
【図３】図３は、それぞれの時間変化する干渉バジェットを利用することができる複数のセルを含む例示的なシステムの説明図である。
【図４】図４は、時間の関数として干渉バジェットを変化させるための例示的な重みダイアグラム（weighting diagram）の説明図である。
【図５】図５は、時間変化するアップリンク・スケジューリングに関する負荷に基づいて干渉バジェット重みを適応的に調整する例示的なシステムの説明図である。
【図６】図６は、クレームされた主題の様々な態様に従った例示的なセクター・ワイズな再利用のマルチ・セル配置の説明図である。
【図７】図７は、干渉バジェットの再利用スキームのための複数のセルの例示的なセル・ワイズな再利用の配置の説明図である。
【図８】図８は、割り当てられた（１又は複数の）負荷率（loading factor(s)）の関数として生成され（１又は複数の）モバイル・デバイスから得られる（１又は複数の）チャネル品質レポートに基づいてアップリンク伝送をスケジュールする例示的なシステムの説明図である。
【図９】図９は、時間変化する負荷率を表す例示的なダイアグラムの説明図である。
【図１０】図１０は、クレームされた主題の様々な態様に従った例示的なセクター・ワイズな（sector-wise）再利用のマルチ・セル配置の説明図である。
【図１１】図１１は、負荷率の再利用スキームのための複数のセルの例示的なセル・ワイズな（cell-wise）再利用の配置の説明図である。
【図１２】図１２は、時間の考慮に基づいてアップリンク伝送をスケジュールすることを容易にする例示的な手順の説明図である。
【図１３】図１３は、負荷バランシングを可能にするために重み付けされた干渉バジェットの時間変化を変更することを容易にする例示的な手順の説明図である。
【図１４】図１４は、マルチキャリアとともに静的干渉バジェットを利用する第１のセクターを含む第１の基地局を含む通信ネットワークにおいてアップリンク伝送をスケジュールすることを容易にする例示的な手順の説明図である。
【図１５】図１５は、動的干渉バジェットを使用する第１のセクターを含む第１の基地局を含む通信ネットワークにおいてアップリンク伝送をスケジュールすることを容易にする例示的な手順の説明図である。
【図１６】図１６は、静的負荷オフセット・レベルを使用する第１のセクターを含む第１の基地局を含む通信ネットワークにおいてアップリンク伝送をスケジュールすることを容易にする例示的な手順の説明図である。
【図１７】図１７は、（１又は複数の）動的負荷オフセット・レベル・パターンを利用する第１のセクターを含む第１の基地局を含む通信ネットワークにおいてアップリンク伝送をスケジュールすることを容易にする例示的な手順の説明図である。
【図１８】図１８は、動的負荷オフセット・レベル・パターンを利用する環境において無線モバイル・デバイスをオペレートすることを容易にする例示的な手順の説明図である。
【図１９】図１９は、複数のセルを含む様々な態様に従って実装される例示的な通信システムの説明図である。
【図２０】図２０は、様々な態様に従った例示的な基地局の説明図である。
【図２１】図２１は、本明細書で説明される様々な態様に従って実装される例示的な無線端末（例えば、モバイル・デバイス、エンド・ノード、…）の説明図である。
【図２２】図２２は、マルチキャリア環境において静的干渉バジェットを利用することによりアップリンク伝送をスケジュールすることを可能にする例示的なシステムの説明図である。
【図２３】図２３は、動的干渉バジェットを利用することによりアップリンク伝送をスケジュールすることを可能にする例示的なシステムの説明図である。
【図２４】図２４は、静的負荷オフセット・レベルを利用することによりアップリンク伝送をスケジュールすることを可能にする例示的なシステムの説明図である。
【図２５】図２５は、動的負荷オフセット・レベル・パターンを利用することによりアップリンク伝送をスケジュールすることを可能にする例示的なシステムの説明図である。
【図２６】図２６は、動的負荷オフセット・レベル・パターンに基づいて干渉比（interference ratio）を評価することを可能にする例示的なシステムの説明図である。
【詳細な説明】
【００１５】
これから、様々な実施形態が図面を参照しながら説明される。ここで、全体にわたって、同様の参照番号は、同様のエレメントを指すために用いられる。以下の記述では、説明のために、多くの特定の細部が、１又は複数の実施形態の深い理解を与えるために説明される。しかしながら、これら特定の細部なしに上記（１又は複数の）実施形態が実施可能であることは明らかであろう。他の例において、１又は複数の実施形態の説明を容易にするために、既知の構造及びデバイスがブロック図の形で示される。
【００１６】
この出願において用いられるように、用語“コンポーネント（component）”、“モジュール（module）”、“システム（system）”、及び同類のものは、コンピュータ関連のエンティティー、ハードウェア、ファームウェア、ハードウェアとソフトウェアの組み合わせ、ソフトウェア、又は、実行中のソフトウェアを指すことを意図されている。例えば、コンポーネントは、プロセッサ上で動作するプロセス、プロセッサ、オブジェクト、実行ファイル（executable）、実行のスレッド、プログラム、及び／又は、コンピュータであっても良いが、これらに制限されない。例として、コンピュータ・デバイス上で動作するアプリケーションと、そのコンピュータ・デバイスの両方とも、コンポーネントであることができる。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造をその上に記録した様々なコンピュータ読み取り可能な媒体から実行することができる。それらコンポーネントは、例えば１又は複数のデータパケットを有する信号（例えば、その信号を手段として、ローカルシステム、分散システムにおける及び／又は例えば他のシステムを有するインターネットのようなネットワークを横断する他のコンポーネントと情報をやりとりする、一つのコンポーネントからのデータ）に従うなど、ローカルプロセス及び／又はリモートプロセスを手段として、通信することができる。
【００１７】
さらに、無線端末に関連して、様々な実施形態が本明細書で説明される。無線端末はまた、システム、加入者ユニット（subscriber unit）、加入者設備（subscriber station）、移動局（mobile station）、モバイル、リモートステーション、遠隔端末、アクセス端末、ユーザ端末、端末、無線通信デバイス、ユーザエージェント、ユーザデバイス、又は、ユーザ装置（user equipment）（ＵＥ）と呼ぶことができる。無線端末は、携帯電話（cellular telephone）、コードレス電話、セッション開始プロトコル（ＳＩＰ）電話、ワイヤレスローカルループ（ＷＬＬ）局、携帯情報端末（ＰＤＡ）、無線接続能力があるハンドヘルドデバイス、コンピュータ・デバイス、又は、無線モデムに接続された他の制御演算装置（processing device）であっても良い。さらに、基地局に関連して、様々な実施形態が本明細書で説明される。基地局は、（１又は複数の）無線端末との通信のために利用することができる。また、基地局は、アクセスポイント、Ｎｏｄｅ Ｂと呼ばれることができ、又は他の専門用語で呼ぶことができる。
【００１８】
さらに、本明細書で説明される様々な態様又は特徴は、方法、装置、又は、標準的なプログラミング及び／又はエンジニアリング技法を用いる製品として、実施することができる。本明細書で用いられる用語“製品（article of manufacture）”は、任意のコンピュータ読み取り可能なデバイス、キャリア、又は媒体からアクセス可能なコンピュータプログラムを包含することが意図されている。例えば、コンピュータ読み取り可能なデバイスは、磁気記憶装置（例えば、ハードディスク・ドライブ、フロッピー（登録商標)ディスク、マグネットストライプなど）、光ディスク（例えば、コンパクトディスク（ＣＤ）、デジタルバーサタイルディスク（ＤＶＤ）など）、スマートカード、及び、フラッシュメモリ素子（flash memory devices）（例えば、ＥＰＲＯＭ、カード、スティック、キードライブなど）を含むことができるが、それらに制限されるものではない。さらに、本明細書で説明される様々な記憶媒体は、１又は複数のデバイス及び／又は情報を記憶するための他の機械読み取り可能な媒体を表すことができる。用語“機械読み取り可能な媒体（machine-readable medium）”は、無線チャネル、及び、（１又は複数の）インストラクション及び／又はデータを記憶（storing）、収容（containing）及び／又は運搬（carrying）する能力のある様々な他の媒体を含むことができるが、それらに制限されるものではない。
【００１９】
さて、図１を参照して、無線通信システム１００は、本明細書で示される様々な実施態様に従って説明される。システム１００は、互いに及び／又は１又は複数のモバイル・デバイス１０４への無線通信信号を受信、送信、リピートなどする１又は複数のセクター中の１又は複数の基地局１０２（例えば、アクセスポイント）を含む。各々の基地局１０２は、送信機チェーン及び受信機チェーンを含むことができる。そして、当業者により認識されるように、それらの各々は、順番に、信号の送信及び受信に関連する複数のコンポーネント（例えば、プロセッサ、変調器、マルチプレクサ、復調器、デマルチプレクサー、アンテナ、…）を含むことができる。モバイル・デバイス１０４は、例えば、携帯電話（cellular phones）、高度自動機能電話（smart phones）、ラップトップ、携帯通信デバイス、携帯コンピュータ・デバイス（handheld communication devices）、衛星ラジオ、グローバル・ポジショニング・システム、ＰＤＡ、及び／又は、無線通信システム１００の上で通信するための任意の他の適当なデバイスであることができる。基地局１０２は、１又は複数のモバイル・デバイス１０４とそれぞれ通信することができる。基地局１０２は、順方向リンク（ダウンリンク）の上でモバイル・デバイス１０４に情報を送信することができ、また、逆方向リンク（アップリンク）の上でモバイル・デバイス１０４から情報を受信することができる。
【００２０】
システム１００は、例えば基地局に近いユーザ（close-to-base station）（例えば、１又は複数のモバイル・デバイス１０４）及びセル境界線のユーザ（cell-boundary）（例えば、１又は複数のモバイル・デバイス１０４）のような異なるタイプのユーザをサポートすることができる。例えば、セル境界線のユーザがアップリンク上に送信する場合に、モバイル・デバイス１０４によりもたらされるセル内干渉（例えば、（１又は複数の）非サービング基地局においてモバイル・デバイスにより生成される干渉）は、サービング基地局において観測される信号強度と同程度である可能性がある。さらに、基地局に近いユーザは、より少ない量のセル内干渉を生成することができる。
【００２１】
さらに、システム１００は、複数のモバイル・デバイス１０４の間でのタイム・シェアリングを可能にすることができる;それゆえ、複数の異なるモバイル・デバイス１０４は、異なるタイム・スロットの間、アップリンク上で送信することができる。例えば、タイム・シェアリングは、アップリンク伝送をスケジュールする基地局１０２により実現されることができる。基地局１０２は、アップリンク・スケジューリングに関連する干渉バジェットを利用することができる。さらに、干渉バジェットは、時間変化すること（又は、時間変化するファクターにより重み付けされること）が可能である。さらに、干渉バジェットは、セルの識別情報の関数であることができる（例えば、干渉バジェットは、特定のタイム・スロットの間、複数のセルの間で異なることができる）。他の例に従って、干渉バジェットは、複数のセクターの間で変化することができる。アップリンク・スケジューリングは、干渉バジェットが良い場合に、セル境界線のユーザがスケジュールされることができ、かつ、干渉バジェットが悪い場合に、基地局に近いユーザがスケジュールされることができるように、実現されることができる。他の例によると、基地局１０２は、チャネル品質レポートを生成するためにモバイル・デバイス１０４により使用されるための負荷率を提供することができる。負荷率は、動的である（例えば、時間変化する）ことが可能であり、あるいは、静的であることが可能である（例えば、各々のセクター及び／又はセルは、それが時間の関数として変化する必要がないそれぞれの負荷率を使用することができる）。その後、基地局１０２は、チャネル品質レポートを取得し、そして、当該レポートに基づいてアップリンク伝送をスケジュールすることができる。
【００２２】
したがって、システム１００に関連して使用されるスキームは、電力制御ベースのアルゴリズムを利用する従来のシステムにおいてセル境界線の諸ユーザについて共通に観測されるセル内干渉の量と比較して、セル境界線の諸ユーザにより見られる干渉を軽減することによって、利益をもたらすことができる。さらに、基地局に近いユーザは、ユーザが電力制限される必要がないので、電力制御ベースのスキームと比較して、時間変化する干渉バジェット・ベースのスキームを利用する間、観測されるより高い干渉を補償するために、より高い送信電力でスケジュールされることができる。さらに、システム１００によりサポートされる、時間変化する干渉バジェット・ベースのスキームを使用する場合に、基地局に近いユーザは、より高い頻度でスケジュールされることができる。
【００２３】
図２を参照して、干渉バジェットに少なくとも部分的に基づいてアップリンク伝送をスケジュールするシステム２００が説明される。例えば、干渉バジェットは、動的である（例えば、時間変化する）ことができ、また、静的であることができる。他の例によると、異なる干渉バジェットが、異なるアップリンク・チャネル上にアップリンク伝送をスケジュールするために利用されることができる;これらの異なる干渉バジェットは、動的であることができ及び／又は静的であることができる。システム２００は、１又は複数のモバイル・デバイス（例えば、モバイル・デバイス１ ２０４，…，モバイル・デバイスＮ ２０６（ここで、Ｎは実質的に任意の整数であることができる））にサービスすることができる基地局２０２を含む;したがって、リンクは、基地局２０２とモバイル・デバイス２０４−２０６との間で確立されることができる。各々のモバイル・デバイス２０４−２０６は、いかなる瞬間でも、ダウンリンク及び／又はアップリンクの上で基地局２０２（及び／又は（１又は複数の）異なる基地局）と通信することができる。ダウンリンクは、基地局２０２からモバイル・デバイス２０４−２０６への通信リンクを指し示し、アップリンク・チャネルは、モバイル・デバイス２０４−２０６から基地局２０２への通信リンクを指し示す。基地局２０２は、例えばモバイル・デバイス２０４−２０６の認証及び許可（authentication and authorization）、アカウンティング（accounting）、ビリング（billing）などのような機能を実行することができる（１又は複数の）他の基地局及び／又は任意の異なるデバイス（例えば、サーバー）（図示せず）と更に通信することができる。
【００２４】
基地局２０２は、モバイル・デバイス２０４−２０６から基地局２０２へのアップリンク伝送のためのアサインメント（assignments）を生成するオポチューニスティック（opportunistic）・アップリンク・スケジューラ２０８を含むことができる。オポチューニスティック・アップリンク・スケジューラ２０８は、モバイル・デバイス２０４−２０６により利用されるための資源を割り当てることができる。例えば、特定の時に、オポチューニスティック・アップリンク・スケジューラ２０８は、特定のモバイル・デバイス（例えば、モバイル・デバイス１ ２０４，…）により利用されるための一つのアップリンク・チャネル（及び／又は複数のアップリンク・チャネル）を割り当てることができる;一方、異なるモバイル・デバイス（例えば、モバイル・デバイスＮ ２０６，…）は、異なる時刻に、オポチューニスティック・アップリンク・スケジューラ２０８によりスケジュールされることができる（しかし、クレームされた主題はそのように制限されるものではない）。例えば、オポチューニスティック・アップリンク・スケジューラ２０８は、アサインメントをそれぞれのモバイル・デバイス２０４−２０６へ渡すことができる。オポチューニスティック・アップリンク・スケジューラ２０８によりもたらされるされるアサインメントは、アップリンク通信について使用される、時間（例えば、タイム・スロット、継続期間（duration）、…）、チャネル、周波数（例えば、（１又は複数の）トーン）、電力レベル、レートなどに関係する情報を、提供することができると考えられる。
【００２５】
オポチューニスティック・アップリンク・スケジューラ２０８は、干渉バジェッタ（interference budgeter）２１０及びユーザ・セレクター２１２を含むことができる。オポチューニスティック・アップリンク・スケジューラ２０８は、維持可能なレート領域の非凸状の性質を利用するスキームを使用することができる。例えば、レートは、以下の基準に従って、オポチューニスティック・アップリンク・スケジューラ２０８により割り当てられることができる。
【数１】
2011504706.tif 000003
【００２６】
ここで、Ｎｉは、ユーザiにより使用されるトーンの数であり、αｉは、スピレージ（spillage）（又は、パス・ロス率（path loss ratio））であり、γｉは、ユーザｉの目標とされたＳＮＲである。さらに、ｌkｗkは、セルkの重み付けされた干渉バジェットである（例えば、ｌｋは、セルｋの干渉バジェットであり、そして、ｗｋは、セルｋの重みである）。干渉バジェットは、特定のセル（及び／又はセクター）に関連する（１又は複数の）アップリンク・チャネルを使用する(１又は複数の)ユーザにより超えられるべきでないトータル干渉レベルを説明する。さらに、アップリンク伝送についてスケジュールするために、（１又は複数の）ユーザを選択する場合に、干渉バジェットは、オポチューニスティック・アップリンク・スケジューラ２０８により利用される。干渉バジェッタ２１０は、時間にわたって、重み付けされた干渉バジェットを変化させることができる。例えば、干渉バジェッタ２１０は、干渉バジェットに重み付けすることができる時間変化曲線を使用することができる。この例に従って、時間変化曲線は、予め定義されることができ及び／又は負荷バランシング・メカニズムに従って適応されることができる。例として、ｌkは、（１又は複数の）近隣のセルが比較的悪い干渉バジェットを持つ場合に良い干渉バジェットがもたらされることができるような方法で、干渉バジェッタ２１０により重み付けされることができる。それゆえ、干渉バジェッタ２１０と同様の異なる基地局（図示せず）のインタフェース・バジェッタは、複数のセルが、セルの各々に関連するそれぞれの干渉バジェットの時間変化を調整することを可能にすることができる;それゆえに、複数のセルの干渉バジェットは、時間にわたって互いに補完することができる。
【００２７】
さらに、ユーザ・セレクター２１２は、干渉バジェッタ２１０によりもたらされる時間変化する干渉バジェットに基づいて、アップリンク伝送について、特定のモバイル・デバイス２０４−２０６をスケジュールすることができる。ユーザ・セレクター２１２は、時間変化する干渉バジェットの関数として、一つのタイム・スロットの間、アップリンク・トラフィック・チャネルに割り当てるために、モバイル・デバイス２０４−２０６のセットの中から、一つの特定のモバイル・デバイス（例えば、モバイル・デバイス１ ２０４，…）を選択することができる。ユーザ・セレクター２１２は、干渉バジェットが良い場合に、セル境界線のユーザ（例えば、基地局２０２から遠くに位置する（１又は複数の）モバイル・デバイス２０４−２０６）をスケジュールし、干渉バジェットが悪い場合に、基地局に近いユーザ（例えば、基地局２０２のすぐ近くに位置するモバイル・デバイス２０４−２０６）をスケジュールすることができる。それゆえに、異なるセルにおけるそのようなユーザは、アップリンク伝送について異なる時間においてスケジュールされることができるので、セル境界線のユーザは、電力制御ベースのアルゴリズムを使用する同様のユーザと比較して、減少した干渉を経験することができる。
【００２８】
他の例によると、干渉バジェッタ２１０は、第１のチャネル上のアップリンク・スケジューリングのために、第１の干渉バジェットを、また、第２のチャネル上のアップリンク・スケジューリングのために、第２の干渉バジェットを、割り当てることができる。例えば、第１の干渉バジェット及び第２の干渉バジェットは、静的であることができ及び／又は動的であることができる。二つの干渉バジェット及び二つのチャネルが本明細書で説明されるが、アップリンク・スケジューリングについて、任意の数のチャネルが、任意の数のそれぞれの干渉バジェットを割り当てられることができる。それゆえ、例えば、ユーザ・セレクター２１２は、良い干渉バジェットをもつ第１のチャネルの上で基地局に近いユーザをスケジュールすることができ、悪い干渉バジェットをもつ第２のチャネルの上でセル境界線のユーザをスケジュールすることができる。
【００２９】
さて、図３を参照して、それぞれの時間変化する干渉バジェットを利用することができる複数のセルを含む例示的なシステム３００が説明される。システム３００は、第１の基地局３０２に関連する第１のセル及び第２の基地局３０４に関連する第２のセルを含む。システム３００が二つの基地局及び二つのセルから構成されるように表されるが、クレームされた主題は、任意の数の基地局及びセルを使用することを予期している。さらに、図示された例によれば、各々の基地局３０２−３０４は、それぞれのセル境界線のモバイル・デバイスをサービスすることができ（例えば、基地局３０２は、モバイル・デバイス３０６をサービスすることができ、基地局３０４は、モバイル・デバイス３０８をサービスすることができ）、また、それぞれの基地局に近いモバイルデバイスをサービスすることができる（例えば、基地局３０２は、モバイル・デバイス３１０をサービスすることができ、基地局３０４は、モバイル・デバイス３１２をサービスすることができる）;しかし、任意の数のモバイル・デバイスが各々の基地局３０２−３０４によりサービスされることができ及び／又はモバイル・デバイスはセル内の任意の場所に位置されることができることは、認識されるべきである。
【００３０】
インター・セル干渉及びイントラ・セル干渉の存在のために、従来のシステムにおいて一般的に利用される維持可能なレートは、ユーザのために最適な達成可能なレートを提供しないかもしれない。二つの隣接するセルおのおのが、それぞれのセル境界線のモバイル・デバイス（例えば、セル境界線のモバイル・デバイス３０６−３０８）を含む例によると、非サービング基地局に対してこれらのモバイル・デバイスの各々により生成される干渉は、それらのそれぞれのサービング基地局に対する信号強度と実質的に同程度である可能性がある。さらに、諸モバイルの対称性に起因して、従来、維持可能なレートを使用する技術は、しばしば、これらのセル境界線のモバイル・デバイスがフルパワーで送信することを可能にし、そして、その結果として生じるレート・ベクトルは、ゼロＳＩＮＲで達成されるレートに対応する二つの同一のエントリから構成される可能性がある。
【００３１】
対照的に、システム３００は、異なるモバイル・デバイス３０６−３１２が異なるタイム・スロットで送信するように、複数のモバイルの間のタイム・シェアリングを可能にする。上記の２モバイル・２基地局の例に従って、各々のセル境界線のモバイル・デバイス３０６−３０８に対する送信用のタイム・スロットは、交互になることができる。時分割によって、モバイル・デバイス３０６−３０８は、それほど頻繁に送信することはできない;しかし、ＳＩＮＲの増加は、自由度の損失を補償することができ、それゆえ、両方のモバイル・デバイス３０６−３０８に利益を与える。このように、改善は、従来の技術に一般的に関連するレートの上の維持可能な状態を取り除くことによって、得られることができる。
【００３２】
さらに、アップリンク伝送をスケジュールすることに関連して、パス・ロス率が、モバイル・デバイス３０６−３１２について判定されることができる（例えば、モバイル・デバイス３０６−３１２は、それらの評価されたパス・ロス率に関連するそれぞれのチャネル品質レポートをそれぞれ生成することができ、また、チャネル品質レポートは、モバイル・デバイス３０６−３１２によりアップリンク伝送をスケジュールするために基地局３０２−３０４に通信されることができる）。パス・ロス率は、以下に従って評価されることができる：
【数２】
2011504706.tif 000004
【００３３】
ここで、αｉは、ユーザｉのパス・ロス率であり、ｈｉｋは、ユーザｉとサービング・セルｃ（ｉ）との間のパス・ロスであり、loadｋは、セルｋにより割り当てられる負荷率である。例えば、負荷率は、静的であることもでき、また、動的であることもできる。さらに、パス・ロス率は、基地局に近いモバイル・デバイス３１０−３１２に比較してセル境界線のモバイル・デバイス３０６−３０８についてより大きい可能性がある（例えば、基地局に近いモバイル・デバイス３１０−３１２は、それらのパス・ロスはより低い可能性があるので、近隣の、非サービング基地局に対するより少ない干渉を生じさせることができる）。
【００３４】
モバイル・デバイス３０６−３１２についてのパス・ロス率の相違は、時間変化する干渉バジェットに基づくアップリンク・スケジューリングのために利用されることができる。例として、基地局３０２に関連する第１のセルは、高い干渉バジェットを持つことができ、基地局３０４に関連する第２のセルは、特定の時に低い干渉バジェットを持つことができる。さらに、基地局３０２は、このタイム・スロットの間、アップリンク伝送についてセル境界線のモバイル・デバイス３０６をスケジュールすることができ、一方、基地局３０４は、この時にセル境界線のモバイル・デバイス３０８をスケジュールすることを抑制することができる;むしろ、このタイム・スロットの間、基地局に近いモバイル・デバイス３１２が、基地局３０４によりスケジュールされることができる。
【００３５】
さて、図４を参照して、時間の関数として干渉バジェットを変化させるための例示的な重みダイアグラム４００が説明される。
【００３６】
ダイアグラム４００は、時間にわたって０．５と１．５との間で変化する二つの重み曲線４０２及び４０４を表す。ネットワークにおける各々の基地局（例えば、図２の基地局２０２、図３の基地局３０２−３０４、…）は、重み曲線４０２−４０４のうちの特定の一つに関連されることができる。例えば、基地局３０２は、重み曲線４０２を利用することができ、基地局３０４は、重み曲線４０４を使用することができる;しかし、クレームされた主題はそれに制限されるものではない。各々のタイム・スロットの間、基地局は、それぞれの重み曲線４０２−４０４に示される重みにより干渉バジェットを乗算することができ、そして、その結果として生じる値は、アップリンク伝送についてモバイル・デバイスをスケジュールするために基地局により利用されることができる。さらに、近隣の基地局は、重み曲線のセットから、異なる重み曲線を利用することができる。
【００３７】
二つ重み曲線４０２−４０４が示されるが、任意の数の重み曲線が利用されることができると考えられる。さらに、クレームされた主題は正弦波重み曲線を使用することに制限されるものではない;むしろ、任意の時間変化するパターンが利用されることができる（例えば、パターンは滑らかな曲線である必要はない）ことは、認識されるべきである。例えば、すべての重みパターンの合計が時間にわたって一定であることができるような、任意の補完的な重みパターンが使用されることができる。例として、不連続の重みの時間変化するパターンが使用されることができる;しかし、クレームされた主題は、それに制限されるものではない。さらに、クレームされた主題は、０．５と１．５との間で変化する重みを使用することに制限されるものではない。
【００３８】
さて、図５を参照して、時間変化するアップリンク・スケジューリングに関する負荷に基づいて干渉バジェット重みを適応的に調整するシステム５００が説明される。システム５００は、上述されたように、オポチューニスティック・アップリンク・スケジューラ２０８、干渉バジェッタ２１０、及びユーザ・セレクター２１２を更に含むことができる基地局２０２を含む。さらに、干渉バジェッタ２１０は、負荷評価器（load evaluator）５０２及び適応型重み付け器（adaptive weighter）５０４を含むことができる。
【００３９】
負荷評価器５０２は、異なる基地局からの負荷情報を解析することができ及び／又は基地局２０２に関連する負荷情報を解析することができる。例えば、（１又は複数の）基地局は、そのような解析を可能にするために、負荷情報を近隣の基地局と共有することができる。他の例によると、各々の基地局からの負荷情報は、ネットワーク・デバイス（図示せず）により収集されることができ、基地局２０２は、その後、そのような負荷情報を検索することができる。負荷評価器５０２は、各々の基地局によりサービスされるモバイル・デバイスの数、各々の基地局によりサービスされる複数のモバイル・デバイスの複数のパス・ロス率（例えば、それは、複数のセル内の複数のモバイル・デバイスの位置、そのような複数のモバイル・デバイスによりもたらされる干渉、…に関係する可能性がある）、その他を、比較することができる。ある例によると、負荷評価器５０２は、基地局２０２が１００個のモバイル・デバイスをサービスする一方、近隣の基地局が１０個のモバイル・デバイスをサービスすることを判定することができる;しかし、クレームされた主題は、それに制限されるものではない。
【００４０】
適応型重み付け器５０４は、解析された負荷情報に基づいて、干渉バジェッタ２１０により利用される重みを調整することができる。例えば、適応型重み付け器５０４は、ネットワーク負荷に基づいて、リアルタイムに、重みを変更することができる。基地局２０２が１００台のモバイル・デバイスをサービスし、近隣の基地局が１０台のモバイル・デバイスをサービスする上記例に従って、適応型重み付け器５０４は、近隣の基地局のインタフェース・バジェッタにより使用される重みの平均に比較して、干渉バジェッタ２１０により利用される重さの平均をより高くシフトすることができる;しかし、クレームされた主題はそれに制限されるものではなく、適応型重み付け器５０４により任意の変形がなされることができると考えられる（例えば、適応型重み付け器５０４は、周波数、平均、周期性、オフセット、パターン、パターン・タイプ、…を変更することができる）。さらに、他の例によれば、適応型重み付け器５０４は、重み付けされた干渉バジェットを変更することに加えて又はその代わりに、（１又は複数の）パス・ロス率を生成するために（１又は複数の）モバイル・デバイスへ提供される負荷率を変更することを可能にすることができる。
【００４１】
その後、モバイル・デバイスは、適応可能な、時間変化する、重み付けされた干渉バジェットに基づいてアップリンクの上でスケジューリングするためのユーザ・セレクター２１２により選択されることができる。したがって、アサインメントは、そのような選択に応答して与えられることができる（例えば、それぞれのモバイル・デバイスへ転送される）。アサインメントは、モバイル・デバイスによりアップリンク伝送のために利用される、タイム・スロット、継続期間、チャネル、周波数（例えば、（１又は複数の）トーン）、電力レベル、レートなどに関係する情報を含むことができる。
【００４２】
図６を参照して、クレームされた主題の様々な態様に従った例示的なセクター・ワイズな再利用のマルチ・セル配置６００が説明される。表されるように、マルチ・セル配置６００は、通信ネットワークを形成するための地理的地域にわたって分散する複数のセル６０２を含むことができる。示されるように、複数のセル６０２の各々は、三つのセクターを含むことができる;しかし、セル６０２の一つ又は複数は、三つのセクターよりも少ないセクターを含むことができ、及び／又は、三つのセクターよりも多いセクターを含むことができると考えられる。さらに、マルチ・セル配置６００は、複数のキャリア及び／又は単一のキャリアをサポートすることができることは、認識されるべきである。
【００４３】
セクタライズされたセル６０２は、規則的な六角形グリッドに位置することができ、表されたグリッドを越えて広がることができる（例えば、任意の数のセル６０２が、グリッド中に含まれることができる、…）。セル６０２のセクターの各々に対して、干渉バジェット（例えば、Ｉ１、Ｉ２、Ｉ３、…）が選択されることができる。例えば、干渉バジェットは、重み付けされることが可能であり、時間の関数として変化することが可能である。他の例に従って、干渉バジェットは、静的であることが可能である。さらに、干渉バジェットは、セクターのすべてにわたって再利用されることができる。図示された例によると、三つの異なる干渉バジェットが、セル６０２の各々の三つのセクターの各々に対して、それぞれ割り当てられることができる;それゆえ、セクター１は、干渉バジェット１ （Ｉ１）を割り当てられることができ、セクター２は、干渉バジェット２ （Ｐ２）を割り当てられることができ、セクター３は、干渉バジェット３ （Ｐ３）を割り当てられることができる。さらに、同一のパターンは、セル６０２のすべてにわたって再利用されることができる。
【００４４】
さらに、各々のセクターにおけるアップリンク通信のために複数のキャリアがサポートされる例に従って、各々のセクターは、一セットの干渉バジェットを利用することができる。さらに、そのセット中の各々の干渉バジェットは、特定のキャリアに対応することができる（例えば、そのセットは、特定のセクターで利用される、第１のキャリアに関係する第１の干渉バジェットと、第２のキャリアに関係する第2の干渉バジェット、…を含むことができる）。それゆえ、配置６００において示されるＩ１、Ｉ２及びＩ３は、三つの別個のセットの干渉バジェットの表すことができる。
【００４５】
図７は、干渉バジェットの再利用スキームのために複数のセルの例示的なセル・ワイズな再利用の配置７００を説明する。複数のセル７０２，７０４，７０６は、配置７００に関連するグリッド内に含まれる。図示されるように、セル７０２−７０６は、三つのセクターを含む;しかし、クレームされた主題は、三つのセクターをもつセルの利用に制限されない。イントラ・セルのセクターからのリークが重大な（significant）場合に、配置７００が使用されることができる。特に、配置７００は、同一のセル内の複数のセクターについて、実質的に同様の干渉バジェット（又は、マルチキャリアのシナリオにおいて各々が特定のキャリアに対応する干渉バジェットのセット）を使用することができ、また、異なるセルにわたって、異なる干渉バジェット（又は、干渉バジェットのセット）を使用することができる。それゆえ、表された例によれば、セル７０２は、干渉バジェット１ （Ｉ１）（又は、干渉バジェットＩ１のセット）を利用する三つのセクターを含むことができ、セル７０４は、干渉バジェット２ （Ｉ２）（又は、干渉バジェットＩ２のセット）を使用する三つのセクターを含むことができ、セル７０６は、干渉バジェット３ （Ｉ３）（又は、干渉バジェットＩ３のセット）を使用する三つのセクターを含むことができる。さらに、各々のセル７０２は、（１又は複数の）セル７０４及び／又は（１又は複数の）セル７０６に隣接することができ（同様に、セル７０４及びセル７０６は、異なるタイプのセルに隣接することができ）、したがって、隣接するセルは、異なる干渉バジェットを利用することができる（例えば、セル７０２は、直接、他のセル７０２に隣接していない）。しかし、任意の数の異なる干渉バジェット（又は、干渉バジェットのセット）が、異なるセルにより使用されることができると考えられ、それゆえ、クレームされた主題は説明された例に制限されない。
【００４６】
さて、図８を参照して、割り当てられた（１又は複数の）負荷率の関数として生成され（１又は複数の）モバイル・デバイスから得られる（１又は複数の）チャネル品質レポートに基づいてアップリンク伝送をスケジュールするシステム８００が説明される。システム８００は、モバイル・デバイス２０４−２０６と通信する基地局２０２を含む。基地局２０２は、オポチューニスティック・アップリンク・スケジューラ２０８を含み、そして、それは、負荷割り当て器（load assigner）８０２及びユーザ・セレクター２１２を更に含むことができる。さらに、各々のモバイル・デバイス２０４−２０６は、それぞれのチャネル品質評価器（channel quality evaluator）８０４−８０６を含むことができる（例えば、モバイル・デバイス１ ２０４は、チャネル品質評価器１ ８０４を含み、…、モバイル・デバイスＮ ２０６は、チャネル品質評価器Ｎ ８０６を含む）。
【００４７】
負荷割り当て器８０２は、モバイル・デバイス２０４−２０６のそれぞれのパス・ロス率を判定することに関連してモバイル・デバイス２０４−２０６により利用されるための負荷率を識別する。例えば、負荷率は、基地局２０２（又は、基地局２０２のセクター）の負荷状態（例えば、ユーザの数）の関数であることができる。例えば、負荷割り当て器８０２により選択される負荷率は、時間の関数として判定される（例えば、動的である）ことができる。他の例として、負荷割り当て器８０２により識別される負荷率は、静的であることができる（例えば、セクター、セルなどの識別情報に基づいてプリセットされる）。さらに、負荷割り当て器８０２は、モバイル・デバイス２０４−２０６に負荷率を通信することを可能にする;例えば、負荷割り当て器８０２は、モバイル・デバイス２０４−２０６に負荷率をブロードキャストすることを実現する。他の例として、負荷割り当て器８０２は、複数の負荷率を識別し通信することができる。そして、複数の負荷率の各々は、それぞれのキャリアに対応するパス・ロス率を評価するためにモバイル・デバイス２０４−２０６により利用されることができる。
【００４８】
モバイル・デバイス２０４−２０６は、基地局２０２から負荷率を得る。その後、チャネル品質評価器８０４−８０６は、受信された負荷率の関数として、モバイル・デバイス２０４−２０６についてそれぞれのパス・ロス率を判定する。パス・ロス率は、次に従って解析されることができる。
【数３】
2011504706.tif 000005
【００４９】
ここで、αｉは、ユーザｉのパス・ロス率である、ｈｉｋは、ユーザｉとセルｋとの間のパス・ロスであり、ｈｉｃ（ｉ）は、ユーザｉとサービング・セルｃ（ｉ）との間のパス・ロスであり、loadｋは、セルｋにより割り当てられる負荷率である。チャネル品質評価器８０４−８０６は、解析されたパス・ロス率（例えば、サービング基地局からモバイル・デバイスへの信号強度と、干渉するセクターからの信号強度の加重和（weighted sum）との間の、チャネルにおける干渉比（加重（weight）は、負荷率の関数である））に関連する情報を含むチャネル品質レポートを与えることができる。さらに、チャネル品質評価器８０４−８０６は、基地局２０２にチャネル品質レポートを送信することを可能することができる。
【００５０】
基地局２０２は、モバイル・デバイス２０４−２０６からチャネル品質レポートを受信する。オポチューニスティック・アップリンク・スケジューラ２０８（及び／又は、ユーザ・セレクター２１２）は、チャネル品質レポートに基づいて、アップリンク伝送について、１又は複数のモバイル・デバイス２０４−２０６をスケジュールすることができる。さらに、オポチューニスティック・アップリンク・スケジューラ２０８は、スケジュールされたアップリンク伝送に関係するスケジュールされた（１又は複数の）モバイル・デバイス２０４−２０６に、アサインメントを送信することができる。例えば、アサインメントは、アップリンク伝送についてスケジュールされた（１又は複数の）モバイル・デバイス２０４−２０６に割り当てられる最大干渉バジェットを含むことができる。
【００５１】
図９を参照して、時間変化する負荷率を表す例示的なダイアグラム９００が説明される。ダイアグラム９００は、ネットワーク中の異なる基地局、セル、セクターなどにより利用されることができる２本の負荷率曲線９０２及び９０４を含む。例えば、チャネル品質レポートを生成するためにモバイル・デバイスに割り当てるそれぞれの負荷率を選択するために、第１のセクターは負荷率曲線９０２を使用することができ、第２のセクターは負荷率曲線９０４を利用することができる;しかし、クレームされた主題はそれに制限されない。さらに、近隣の基地局、セル、セクターなどは、異なる負荷率曲線を利用することができる。２本の負荷率曲線９０２−９０４が示されるが、任意の数の負荷率曲線が使用されることができると考えられる。さらに、クレームされた主題は正弦波負荷率曲線を使用することに制限されないと考えられる;むしろ、任意の時間変化するパターンが利用されることができる（例えば、パターンは滑らかな曲線である必要はない、パターンは不連続の負荷率値を含むことができる、…）。さらに、示されるように、異なる基地局、セル、セクターなどに関連する負荷率曲線は、実質的に同様の周波数、振幅などを持つ必要はない;その代わりに、負荷率曲線は、異なる周波数、振幅などを持つことができる。また、複数の負荷率曲線の間に、任意の時間シフトが使用されることができる。
【００５２】
図１０を参照して、クレームされた主題の様々な態様に従った例示的なセクター・ワイズな再利用のマルチ・セル配置１０００が説明される。表されるように、マルチ・セル配置１０００は、通信ネットワークを形成するための地理的地域にわたって分散する複数のセル１００２を含むことができる。示されるように、複数のセル１００２の各々は、三つのセクターを含むことができる;しかし、セル１００２の一つ又は複数は、三つのセクターよりも少ないセクターを含むことができ、及び／又は、三つのセクターより多いセクターを含むことができる。さらに、マルチ・セル配置１０００は、複数のキャリア及び／又は単一のキャリアをサポートすることができることは、認識されるべきである。セクタライズされたセル１００２は、規則的な六角形グリッドに位置することができ、表されたグリッドを越えて広がることができる（例えば、任意の数のセル１００２が、グリッド中にに含まれることができる、…）。セル１００２のセクターの各々に対して、負荷率（例えば、ＬＦ１、ＬＦ２、ＬＦ３、…）が選択されることができる。例えば、負荷率は、時間の関数として変化さすることができる（例えば、時間変化する負荷率パターンが使用されることができる）。他の例に従って、負荷率は、静的であることが可能である。さらに、負荷率は、セクターのすべてにわたって再利用されることができる。図示された例によると、三つの異なる負荷率が、セル１００２の各々の三つのセクターの各々に対して、それぞれ割り当てられることができる;それゆえ、セクター１は、負荷率１ （ＬＦ１）を割り当てられることができ、セクター２は、負荷率２ （ＬＦ２）を割り当てられることができ、セクター３は、負荷率３ （ＬＦ３）を割り当てられることができる。さらに、同一のパターンは、セル１００２のすべてにわたって再利用されることができる。
【００５３】
さらに、各々のセクターにおけるアップリンク通信のために複数のキャリアがサポートされる例に従って、各々のセクターは、一セットの負荷率を利用することができる。さらに、そのセット中の各々の負荷率は、特定のキャリアに対応することができる（例えば、そのセットは、特定のセクターで利用される、第１のキャリアに関係する第１の負荷率と、第２のキャリアに関係する第２の負荷率、…を含むことができる）。それゆえ、配置１０００において示されるＬＦ１，ＬＦ２及びＬＦ３は、３つの別個のセットの負荷率を表すことができる。
【００５４】
図１１は、負荷率の再利用スキームのための複数のセルの例示的なセル・ワイズな再利用の配置１１００を説明する。複数のセル１１０２，１１０４，１１０６は、配置１１００に関連するグリッド内に含まれる。図示されるように、セル１１０２〜１１０６は、三つのセクターを含む;しかし、クレームされた主題は三つのセクターをもつセルの利用に制限されない。イントラ・セルのセクターからのリークが重大な場合に、配置１１００が使用されることができる。特に、配置１１００は、同一のセル内の複数のセクターについて、実質的に同様の負荷率（又は、負荷率のセット）を使用することができ、また、異なるセルにわたって、異なる負荷率（又は、マルチキャリア・シナリオにおいて各々が特定のキャリアに対応する負荷率のセット）を使用することができる。それゆえ、表された例によれば、セル１１０２は、負荷率１ （ＬＦ１）（又は、負荷率ＬＦ１のセット）を利用する三つのセクターを含むことができ、セル１１０４は、負荷率２ （ＬＦ２）（又は、負荷率ＬＦ２のセット）を使用する三つのセクターを含むことができ、セル１１０６は、負荷率３ （ＬＦ３）（又は、負荷率ＬＦ３のセット）を使用する三つのセクターを含むことができる。さらに、各々のセル１１０２は、（１又は複数の）セル１１０４及び／又は（１又は複数の）セル１１０６に隣接することができ（同様に、セル１１０４及びセル１１０６は、異なるタイプのセルに隣接することができ）、したがって、隣接するセルは、異なる負荷率を利用することができる（例えば、セル１１０２は、直接、他のセル１１０２に隣接していない）。しかし、任意の数の負荷率（又は、負荷率のセット）が、異なるセルにより使用されることができると考えられ、それゆえ、クレームされた主題は説明された例に制限されない。
【００５５】
図１２−１８を参照して、無線通信ネットワークのオポチューニスティック・アップリンク・スケジューリングに関する手順は、説明される。説明を簡単にする目的で、手順が一連の動作として図示され説明されるが、手順は、動作の順序により制限されるものではなく、いくつかの動作が、１又は複数の実施形態に従って、本明細書で図示され説明される順序とは異なる順序で及び／又は他の動作と同時に、発生しても良いことは、理解（understood）及び認識（appreciated）されるべきである。例えば、手順が、代わりに、例えば状態図（state diagram）のように、一連の相互に関連のある状態又はイベントとして、表現できるであろうことは、当業者は理解（understand）及び認識（appreciate）するであろう。さらに、１又は複数の実施形態に従う手順を実装するために、必ずしも説明されたすべての動作が要求されなくても良い。
【００５６】
図１２を参照して、時間の考慮に基づいてアップリンク伝送をスケジュールすることを容易にする手順１２００が説明される。１２０２において、重み付けされた干渉バジェットは、時間の関数として判定されることができる。干渉バジェットは、時間変化することが可能であり、及び／又は、時間変化することが可能な重み係数により乗算されることができる。さらに、重み付けされた干渉バジェットは、予め定義されたパターンに従って変化することができ、及び／又は、（例えば、負荷バランシングを可能にするために）適応的に判定されたパターンに従うことができる。他の例によると、近隣の基地局（及び／又は、セル）により利用される、時間変化する、重み付けされた干渉バジェットは、互いに補完することができる;例えば、時間変化する、重み付けされた干渉バジェットの和が、時間にわたって一定になることができる。
【００５７】
１２０４において、モバイル・デバイスは、重み付けされた干渉バジェットに基づいて、特定の時刻におけるアップリンク伝送についてスケジュールされることができる。例えば、重み付けされた干渉バジェットが比較的大きい場合には、大きいパス・ロス率をもつモバイル・デバイス（例えば、セル境界線のモバイル・デバイス）がスケジュールされることができ、重み付けされた干渉バジェットが比較的小さい場合には、小さいパス・ロス率をもつモバイル・デバイス（例えば、基地局に近いモバイル・デバイス）がスケジュールされることができる。１２０６において、アサインメントは、スケジュールされたアップリンク伝送に関係するモバイル・デバイスに送信されることができる。例えば、アサインメントは、アップリンク伝送のためにモバイル・デバイスにより利用される、タイム・スロット、継続期間、周波数（例えば、トーン）、電力レベル、レートなどに関係する情報を含むことができる。
【００５８】
さて、図１３を参照して、負荷バランシングを可能にするために重み付けされた干渉バジェットの時間変化を変更することを容易にする手順１３００が説明される。１３０２において、基地局及びネットワーク中の少なくとも一つの近隣の基地局に関係する負荷バランシング情報が、解析されることができる。例えば、各々の基地局によりサービスされるユーザの数が、比較されることができる。他の例によると、基地局の各々のユーザに関連するユーザのタイプ及び／又はパス・ロス率が、評価されることができる。１３０４において、時間の関数として変化する重みパターンは、負荷バランシング解析に基づいて、適応的に調整されることができる。例として、時間変化する重みパターンの平均値は、当該基地局が（１又は複数の）近隣の基地局よりも多い数のユーザをサービスする場合に、該基地局について増加することができる。さらに、重みパターンは、リアルタイムに、周期的に、その他により、適応的に調整されることができると考えられる。１３０６において、重み付けされた干渉バジェットは、適応的に調整された重みパターンに基づいて生成されることができる。ここで、該重み付けされた干渉バジェットは、時間の関数であることができる。重み付けされた干渉バジェットは、アップリンク伝送をスケジュールするために利用されることができる。
【００５９】
図１４を参照して、マルチキャリアとともに静的干渉バジェットを利用する第１のセクターを含む第１の基地局を含む通信ネットワークにおいてアップリンク伝送をスケジュールすることを容易にする手順１４００が説明される。１４０２において、チャネル品質レポートが、１又は複数のモバイル・デバイスから受信されることができる。チャネル品質レポートは、サービング基地局からモバイル・デバイスへの信号強度と、干渉する基地局からの信号強度の加重和との間の干渉比の測定値を含むことができる。１４０４において、第１のモバイル・デバイスは、第１の干渉バジェット・レベルに基づいて、第１のタイム・スロットの間の第１のチャネルの上での第１のセクターからのアップリンク伝送についてスケジュールされることができる。例えば、第１のチャネルは、第１の周波数バンド幅を含むことができる。さらに、第１のモバイル・デバイスに加えて、１又は複数のモバイル・デバイスがスケジュールされることができる（同様に、以下で説明される他のモバイル・デバイスは、１又は複数の更なるモバイル・デバイスとともにスケジュールされることができる）ことは、認識されるべきである。１４０６において、第２のモバイル・デバイスは、第２の干渉バジェット・レベルに基づいて、第１のタイム・スロットの間の第２のチャネルの上での第１のセクターからのアップリンク伝送についてスケジュールされることができる。第２のチャネルは、例えば、第２の周波数バンド幅を含むことができる。さらに、第１の周波数バンド幅と第２の周波数バンド幅は、オーバーラップしないことができる。さらに、例えば、第１の干渉バジェット・レベル及び第２の干渉バジェット・レベルは、互いに少なくとも０．５ｄＢ異なることができる。１４０８において、アサインメントは、スケジュールされたアップリンク伝送に関係する第１のモバイル・デバイス及び第２のモバイル・デバイスに送信されることができる。例として、アサインメントは、アップリンク伝送について対応するモバイル・デバイスに割り当てられる最大干渉バジェットに関係する情報を含むことができる。したがって、第１のタイム・スロットにおいて第１の基地局の第１のセクターにおける各々のチャネルの上で（１又は複数の）スケジュールされたモバイル・デバイスから発される総和干渉（sum interference）は、それぞれの干渉バジェット・レベルに制限されることができる。
【００６０】
例に従って、第１の基地局は、第２のセクターを含むことができる。それゆえ、第３のモバイル・デバイスは、第３の干渉バジェット・レベルに基づいて、第１のタイム・スロットの間の第３のチャネルの上での第２のセクターからのアップリンク伝送についてスケジュールされることができる。ここで、第３のチャネルは、第３の周波数バンド幅を含むことができる。さらに、第４のモバイル・デバイスは、第４の干渉バジェット・レベルに基づいて、第１のタイム・スロットの間の第４のチャネルの上での第２のセクターからのアップリンク伝送についてスケジュールされることができる。ここで、第４のチャネルは、第４の周波数バンド幅を含むことができる。さらに、第３及び第４の干渉バジェット・レベルは、互いに少なくとも０．５ｄＢ異なることができる。さらに、第２の周波数バンド幅及び第４の周波数バンド幅は、少なくとも５０％を共通して持つことができ、一方、第１の周波数バンド幅及び第３の周波数バンド幅は、少なくとも５０％を共通して持つことができる。他の例によると、第１の干渉バジェット・レベルは、第３の干渉バジェット・レベルより大きいことが可能であり、また、第２の干渉バジェット・レベルは、第４の干渉バジェット・レベルより小さいことが可能である。
【００６１】
他の例によると、通信ネットワークは、第３のセクターを含む第２の基地局を更に含むことができる。それゆえ、第５のモバイル・デバイスは、第５の干渉バジェット・レベルに基づいて、第１のタイム・スロットの間の第５のチャネルの上での第３のセクターからのアップリンク伝送についてスケジュールされることができる。ここで、第５のチャネルは、第５の周波数バンド幅を含むことができる。さらに、第６のモバイル・デバイスは、第６の干渉バジェットに基づいて、第１のタイム・スロットの間の第６のチャネルの上での第３のセクターからのアップリンク伝送についてスケジュールされることができる。ここで、第６のチャネルは、第６の周波数バンド幅を含むことができる。その後、アサインメントは、スケジュールされたアップリンク伝送に関係する第５及び第６のモバイル・デバイスに送信されることができる。さらに、第５及び第６の干渉バジェット・レベルは、少なくとも０．５ｄＢ異なることができる。
【００６２】
図１５を参照して、動的干渉バジェットを使用する第１のセクターを含む第１の基地局を含む通信ネットワークにおいてアップリンク伝送をスケジュールすることを容易にする手順１５００が説明する。１５０２において、チャネル品質レポートが、１又は複数のモバイル・デバイスから受信されることができる。１５０４において、第１のモバイル・デバイスは、第１の干渉バジェット・レベルに基づいて、第１のタイム・スロットの間の第１のチャネルの上での第１のセクターからのアップリンク伝送についてスケジュールされることができる。１５０６において、第２のモバイル・デバイスは、第２の干渉バジェット・レベルに基づいて、第２のタイム・スロットの間の第１のチャネルの上での第１のセクターからのアップリンク伝送についてスケジュールされることができる。さらに、第１の干渉バジェット・レベル及び第２の干渉バジェット・レベルは、時間にわたって変化する第１の干渉バジェット・パターンから判定されることができる。干渉バジェット・パターンは、予め定められることができ、動的に調整されることができ、その他であることもできる。１５０８において、アサインメントは、スケジュールされたアップリンク伝送に関係する第１のモバイル・デバイス及び第２のモバイル・デバイスに送信されることができる。
【００６３】
ある例によって、第３のモバイル・デバイスは、第３の干渉バジェット・レベルに基づいて、第１のタイム・スロットの間の第２のチャネルの上での第１のセクターからのアップリンク伝送についてスケジュールされることがで、第４のモバイル・デバイスは、第４の干渉バジェット・レベルに基づいて、第２のタイム・スロットの間の第２のチャネルの上での第１のセクターからのアップリンク伝送についてスケジュールされることができる。さらに、第３及び第４の干渉バジェット・レベルは、第２の干渉バジェット・パターンから判定されることが可能である。さらに、第１の干渉バジェット・レベル及び第３の干渉バジェット・レベルの総和は、第２の干渉バジェット・レベル及び第４の干渉バジェット・レベルの総和から０．５ｄＢ以内にあることができる。
【００６４】
更なる例に従って、第１の基地局は、第２のセクターを含むことができる。さらに、第５のモバイル・デバイスは、第５の干渉バジェット・レベルに基づいて、第１のタイム・スロットの間の第１のチャネルの上での第２のセクターからのアップリンク伝送についてスケジュールされることができる。さらに、第６のモバイル・デバイスは、第６の干渉バジェット・レベルに基づいて、第２のタイム・スロットの間の第１のチャネルの上での第２のセクターからのアップリンク伝送についてスケジュールされることができる。ここで、第５及び第６の干渉バジェット・レベルは、第３の干渉バジェット・パターンから判定されることができる。例えば、第１及び第３の干渉バジェット・パターンは、周期的であり、異なる周期をもつことが可能である。他の例によると、第１及び第３の干渉バジェット・パターンは、周期的であり、実質的に同様の期間をもち且つ異なる位相をもつことが可能である。
【００６５】
通信ネットワークは、例えば、第３のセクターを含むことができる第２の基地局を更に含むことができる。第７のモバイル・デバイスは、第７の干渉バジェット・レベルに基づいて、第１のタイム・スロットの間の第１のチャネルの上での第３のセクターからのアップリンク伝送についてスケジュールされることができ、第８のモバイル・デバイスは、第８の干渉バジェット・レベルに基づいて、第２のタイム・スロットの間の第１のチャネルの上での第３のセクターからのアップリンク伝送についてスケジュールされることができる。さらに、第７及び第８の干渉バジェット・レベルは、第４の干渉バジェット・パターンから判定されることができる。
【００６６】
図１６を参照して、静的負荷オフセット・レベルを使用する第１のセクターを含む第１の基地局を含む通信ネットワークにおいてアップリンク伝送をスケジュールすることを容易にする手順１６００が説明される。１６０２において、第１のチャネルに関係するパス・ロス率を評価するために利用される第１の負荷率が、ブロードキャストされることができる。第１の負荷率は、少なくとも第１の負荷オフセット・レベルに基づくことができる。さらに、第１の負荷率は、第１のチャネルの上でサービスされるモバイル・デバイスの数及び第１の負荷オフセット・レベルの関数であることができる。１６０４において、第２のチャネルに関係するパス・ロス率を評価するために利用される第２の負荷率が、ブロードキャストされることができる。第２の負荷率は、少なくとも第２の負荷オフセット・レベルに基づくことができる。さらに、第２の負荷率は、第２のチャネルの上でサービスされるモバイル・デバイスの数及び第２の負荷オフセット・レベルの関数であることができる。さらに、第１の負荷オフセット・レベル及び第２の負荷オフセット・レベルは、互いに少なくとも０．５ｄＢ異なることができる。１６０６において、チャネル品質レポートが、評価されたパス・ロス率に関係する１又は複数のモバイル・デバイスから受信されることができる。チャネル品質レポートは、第１のチャネル及び／又は第２のチャネルに関係する干渉比の測定値を含むことができる。例えば、第１のチャネルに関する干渉比の測定値は、サービング基地局からモバイル・デバイスへの信号強度と、干渉するセクターからの信号強度の加重和との間にあることができる。ここで、加重は、第１の負荷率の関数であることができる（また、第２のチャネルに関する干渉比は、同様に判定されることができる）。１６０８において、第１のモバイル・デバイスは、チャネル品質レポートに基づいて、第１のチャネルの上でのアップリンク伝送についてスケジュールされることができる。例えば、第１のチャネルは、第１の周波数バンド幅を含むことができる。１６０８において、第２のモバイル・デバイスは、チャネル品質レポートに基づいて、第２のチャネルの上でのアップリンク伝送についてスケジュールされることができる。例えば、第２のチャネルは、第２の周波数バンド幅を含むことができる。さらに、第１の周波数バンド幅及び第２の周波数バンド幅は、オーバーラップしないことができる。１６１２において、アサインメントは、スケジュールされたアップリンク伝送に関係する第１のモバイル・デバイス及び第２のモバイル・デバイスに送信されることができる。アサインメントは、スケジュールされたアップリンク伝送での利用のためにそれぞれのモバイル・デバイスに割り当てられる最大干渉バジェットを含むことができる。本明細書で説明される負荷率は、対応するセクターに関連する負荷状態（例えば、ユーザの数）の関数であることができる。さらに、負荷オフセット・レベルは、基準値（nominal values）からのオフセットであることができ、そして、それは負荷率であることができる。
【００６７】
他の例によると、第１の基地局は、第２のセクターを更に含むことができる。さらに、第２のセクターに対応し且つ第１のチャネルに関係するパス・ロス率を評価するために利用される第３の負荷オフセット・レベルに基づいて、第３の負荷率が、ブロードキャストされることができ、第２のセクターに対応し且つ第２のチャネルに関係するパス・ロス率を評価するために利用される第４の負荷オフセット・レベルに基づいて、第４の負荷率が、ブロードキャストされることができ、そして、１又は複数のモバイル・デバイスからのチャネル品質レポートが、受信されることができる。さらに、第３のモバイル・デバイスは、チャネル品質レポートに基づいて、第１のチャネルの上でのアップリンク伝送についてスケジュールされることができ、第４のモバイル・デバイスは、チャネル品質レポートに基づいて、第２のチャネルの上でのアップリンク伝送についてスケジュールされることができ、そして、アサインメントは、スケジュールされたアップリンク伝送に関係する第３のモバイル・デバイス及び第４のモバイル・デバイスに送信されることができる。第３及び第４の負荷オフセット・レベルは、例えば、互いい少なくとも０．５ｄＢ異なることができる。さらに、第１の負荷オフセット・レベルは、第３の負荷オフセット・レベルより大きいことが可能であり、第２の負荷オフセット・レベルは、第４の負荷オフセット・レベルより小さいことが可能である。
【００６８】
更なる例に従って、通信ネットワークは、第３のセクターを含む第２の基地局を含むことができる。第５の負荷率は、第３のセクターに対応し且つ第１のチャネルに関係するパス・ロス率を評価するために利用される第５の負荷オフセット・レベルに基づいて、ブロードキャストされることができ、第６の負荷率は、第３のセクターに対応し且つ第２のチャネルに関係するパス・ロス率を評価するために利用される第６の負荷オフセット・レベルに基づいて、ブロードキャストされることができ、そして、１又は複数のモバイル・デバイスからチャネル品質レポートが、受信されることができる。
【００６９】
さらに、第５のモバイル・デバイスは、チャネル品質レポートに基づいて、第１のチャネルの上でのアップリンク伝送についてスケジュールされることができ、第６のモバイル・デバイスは、チャネル品質レポートに基づいて、第２のチャネルの上でのアップリンク伝送についてスケジュールされることができ、そして、アサインメントは、スケジュールされたアップリンク伝送に関係する第５のモバイル・デバイス及び第６のモバイル・デバイスに送信されることができる。さらに、第１の負荷オフセット・レベルは、第５の負荷オフセット・レベルより大きいことが可能であり、第２の負荷オフセット・レベルは、第６の負荷オフセット・レベルより小さいことが可能である。
【００７０】
図１７を参照して、（１又は複数の）動的負荷オフセット・レベル・パターンを利用する第１のセクターを含む第１の基地局を含む通信ネットワークにおいてアップリンク伝送をスケジュールすることを容易にする手順１７００が説明される。１７０２において、第１のタイム・スロットに対応する第１の時間変化する負荷オフセット・レベル・パターンから判定される第１の負荷率が、ブロードキャストされることができる。第１の負荷率は、第１の負荷オフセット・レベルに基づくことができる。１７０４において、第２のタイム・スロットに対応する第１の時間変化する負荷オフセット・レベル・パターンから判定される第２の負荷率が、ブロードキャストされることができる。第２の負荷率は、第２の負荷オフセット・レベルに基づくことができる。第１の負荷オフセット・レベルと第２の負荷オフセット・レベルは、少なくとも０．５ｄＢ異なることができる。１７０６において、チャネル品質レポートが、第１のタイム・スロット及び第２のタイム・スロットの間の評価されたパス・ロス率に関係する１又は複数のモバイル・デバイスから受信されることができる。１７０８において、第１のモバイル・デバイスは、チャネル品質レポート及び第１の負荷率に基づいて、第１のタイム・スロットの間のアップリンク伝送についてスケジュールされることができる。１７１０において、第２のモバイル・デバイスは、チャネル品質レポート及び第２の負荷率に基づいて、第２のタイム・スロットの間のアップリンク伝送についてスケジュールされることができる。第１のモバイル・デバイス及び第２のモバイル・デバイスは、第１のチャネルにアップリンク伝送についてスケジュールされることができる。そして、第１のチャネルは、第１の周波数バンド幅を含むことができる。１７１２において、アサインメントは、スケジュールされたアップリンク伝送に関係する第１のモバイル・デバイス及び第２のモバイル・デバイスに送信されることができる。
【００７１】
例として、第１のタイム・スロットに対応する第２の時間変化する負荷オフセット・レベル・パターンから判定される第３の負荷オフセット・レベルに基づいて、第３の負荷率が、ブロードキャストされることができ、第２のタイム・スロットに対応する第２の時間変化する負荷オフセット・レベル・パターンから判定される第４の負荷オフセット・レベルに基づいて、第４の負荷率が、ブロードキャストされることができる。第３の負荷オフセット・レベル及び第４の負荷オフセット・レベルは、互いに少なくとも０．５ｄＢ異なることができる。さらに、第３のモバイル・デバイスは、チャネル品質レポート及び第３の負荷率に少なくとも部分的に基づいて、第２のチャネルの上での第１のタイム・スロットの間のアップリンク伝送についてスケジュールされることができる。第２のチャネルは、第２の周波数バンド幅を含むことができる。さらに、第４のモバイル・デバイスは、チャネル品質レポート及び第４の負荷率に少なくとも部分的に基づいて、第２のチャネルの上での第２のタイム・スロットの間のアップリンク伝送についてスケジュールされることができる。例えば、第１の負荷オフセット・レベル及び第３の負荷オフセット・レベルの総和は、第２の負荷オフセット・レベル及び第4の負荷オフセット・レベルの総和の０．５ｄＢ以内にあることができる。さらに、第１の周波数バンド幅及び第２の周波数バンド幅は、オーバーラップしないことができる。更なる例によると、第１の基地局は、異なる負荷オフセット・レベル・パターンを利用する異なるセクターを含むことができ、及び／又は、通信ネットワーク中の異なる基地局は、異なる負荷オフセット・レベル・パターンを使用する異なるセクターを含むことができる。
【００７２】
図１８を参照して、動的負荷オフセット・レベル・パターンを利用する環境において無線モバイル・デバイスをオペレートすることを容易にする手順が説明される。１８０２において、第１の負荷率は、第１のタイム・スロットにおける第１の基地局からの第１の負荷オフセット情報に少なくとも基づいて、受信されることができる。１８０４において、第１の負荷オフセット・レベル・パターンは、第１の負荷オフセット情報から判定されることができる。例えば、第１の負荷オフセット・レベル・パターンは、検索テーブル、予め定められた関数などを使用することによって、解読（deciphered）されることができる。１８０６において、第１の干渉比は、第１の負荷オフセット・レベル・パターンにより判定された第１の負荷オフセット・レベルに少なくとも基づいて、第２のタイム・スロットにおいて判定されることができる。１８０８において、第１の干渉比を含む第１の信号は、第２のタイム・スロットにおいて第１の基地局へ送信されることができる。
【００７３】
更なる例によると、第２の干渉比は、第１の負荷オフセット・レベル・パターンにより判定される第２の負荷オフセット・レベルに少なくとも基づいて、第３のタイム・スロットにおいて判定されることができる。さらに、第２の干渉比を含む第２の信号は、第３のタイム・スロットにおいて基地局へ送信されることができる。さらに、第１の負荷オフセット・レベル及び第２の負荷オフセット・レベルは、少なくとも０．５ｄＢ異なることができる。
【００７４】
更なる例に従って、少なくとも第２の負荷オフセット情報を含む第２の負荷率は、第４のタイム・スロットにおいて第２の基地局から受信されることができる。第２の負荷オフセット・レベル・パターンは、第２の負荷オフセット情報から判定されることができる。第２の負荷オフセット・レベル・パターンは、検索テーブル、予め定められた関数などを使用して生成されることができる。さらに、第１の干渉比は、少なくとも第１の負荷オフセット・レベル・パターンにより判定される第１の負荷オフセット・レベル及び第２の負荷オフセット・レベル・パターンにより判定される第２の負荷オフセット・レベルに基づいて、判定されることができる。
【００７５】
本明細書で説明される１又は複数の態様に従って、通信ネットワークにおけるアップリンク・スケジューリングに関して、推論がなされることが可能であることは、認識されよう。本明細書で用いられるように、用語“推論する（infer）”又は“推論（inference）”は、一般に、イベント及び／又はデータを通して捕捉された一連の観測から、システム、環境及び／又はユーザの状態を推論（reasoning about）又は推論（inferring）するプロセスを指す。例えば、推論は、特定の状況（context）又はアクションを特定するために用いることができ、また、状態上の確率分布（probability distribution over states）を生成することができる。推論は、確率的であっても良い。すなわち、データ及びイベントの考慮に基づく、対象の状態上の確率分布の計算である。また、推論は、一連のイベント及び／又はデータから、よりハイレベルなイベントを構成するために用いられる技術を指すことができる。そのような推論は、一連の観測されたイベント及び／又は記憶されたイベントデータからの新たなイベント又はアクションの構築を、該イベントが緊密な時間的近接性と相関性があるかどうかにかかわらず且つ該イベント及びデータが一つ又は幾つかのイベント及びデータソースに由来しているかどうかにかかわらず、もたらす。
【００７６】
ある例によると、上で示された１又は複数の方法は、（１又は複数の）基地局及び／又は（１又は複数の）セルにより遭遇されるそれぞれの負荷を識別することに関連する推論を含むことができる。他の例に従って、負荷情報は、（１又は複数の）重みパターンを適応させる方法を推論するために利用されることができる。前述の例は、実際は、説明のためであり、本明細書で説明される様々な実施態様及び／又は方法と併せてなされることができる推論の数又はなされる上記推論の方法を制限することが意図されていないことは、認識されよう。
【００７７】
図１９は、複数のセル（セルｉ １９０２、セルＭ １９０４）を含む様々な態様に従って実装される例通信システム１９００を表す。セル境界線の領域１９６８により示されるように、近隣のセル１９０２，１９０４が少しオーバーラップする点に留意されるべきである。システム１９００の各々のセル１９０２，１９０４は、三つのセクターを含む。様々な態様に従って、複数のセクターに再分割されなかったセル（Ｎ＝１）、二つのセクターをもつセル（Ｎ＝２）、三つを超えるセクターをもつセル（Ｎ＞３）もまた、可能であるまた。セル１９０２は、第１のセクター（セクターＩ １９１０）、第２のセクター（セクターＩＩ １９１２）、及び、第３のセクター（セクターＩＩＩ １９１４）を含む。各々のセクター１９１０，１９１２，１９１４は、二つのセクターの境界線領域を持つ;各々の境界線領域は、二つの隣接するセクターの間で共有される。
【００７８】
セルＩ １９０２は、基地局（ＢＳ）（基地局Ｉ １９０６）、及び、各々のセクター１９１０，１９１２，１９１４中の複数のエンド・ノード（ＥＮ）（例えば、無線端末）を含む。セクターｉ １９１０は、ＥＮ（１） １９３６及びＥＮ（Ｘ） １９３８を含む；セクターＩＩ １９１２は、ＥＮ（１’） １９４４及びＥＮ（Ｘ’） １９４６を含む；セクターＩＩＩ １９１４は、ＥＮ（１’’） １９５２及びＥＮ（Ｘ’’） １９５４を含む。同様に、セルＭ １９０４は、基地局Ｍ １９０８、及び、各々のセクター１９２２，１９２４，１９２６中の複数のエンド・ノード（ＥＮ）を含む。セクターｉ １９２２は、ＥＮ（１） １９３６及びＥＮ（Ｘ） １９３８を含む；セクターＩＩ １９２４は、ＥＮ（１’） １９４４及びＥＮ（Ｘ’） １９４６を含む；セクター３ １９２６は、ＥＮ（１’’） １９５２及びＥＮ（Ｘ’’） １９５４を含む。
【００７９】
システム１９００はまた、それぞれ、ネットワーク・リンク１９６２，１９６４を介して、ＢＳ I １９０６及びＢＳ Ｍ １９０８に接続されるネットワーク・ノード１９６０を含む。ネットワーク・ノード１９６０は、ネットワーク・リンク１９６６を介して、他のネットワーク・ノード（例えば、他の基地局、ＡＡＡサーバー・ノード、中間ノード、ルータなど）及びインターネットに接続される。ネットワーク・リンク１９６２，１９６４，１９６６は、例えば、光ファイバーケーブルであってもよい。各々のエンド・ノード（例えば、ＥＮ（１） １９３６）は、受信機に加えて送信機も含む無線端末であってもよい。無線端末（例えば、ＥＮ（１） １９３６）は、システム１９００中を移動しても良く、また、ＥＮが現在位置するセル中の基地局と無線リンクを介して通信しても良い。無線端末（ＷＴ）（ＥＮ（１） １９３６）は、基地局（例えば、ＢＳ １９０６、及び／又は、ネットワーク・ノード１９６０）を介して、ピア・ノード（例えば、システム１９００中又はシステム１９００外の他のＷＴ）と通信しても良い。ＷＴ（例えば、ＥＮ（１） １９３６）は、例えば携帯電話、無線モデムを備えたパーソナル・データ・アシスタントなどのような、モバイル通信デバイスであっても良い。
【００８０】
図２０は、様々な態様に従った例示的な基地局２０００を説明する。基地局２０００は、そのセルのそれぞれの異なるセクター・タイプについて生成された異なるトーン・サブセット・アロケーション・シーケンスをもって、トーン・サブセット・アロケーション・シーケンスを実行する。基地局２０００は、図１９のシステム１９００の基地局１９０６，１９０８の任意の一つとして使用されても良い。基地局２０００は、受信機２００２、送信機２００４、プロセッサ２００６（例えば、ＣＰＵ）、入出力インタフェース２００８、及び、各種のエレメント２００２，２００４，２００６，２００８及び２０１０がその上でデータ及び情報を交換することができるバス２００９により共に接続されるメモリ２０１０を含む。
【００８１】
受信機２００２に接続されるセクタライズド・アンテナ２００３は、基地局のセル内の各々のセクターからの無線端末のトランスミッションから、データ及び他の信号（例えば、チャネル・レポート）を受信するために使用される。送信機２００４に接続されるセクタライズド・アンテナ２００５は、基地局のセルの各々のセクター内の無線端末２１００（図２１を参照）へ、データ及び他の信号（例えば、制御信号、パイロット信号、ビーコン信号など）を送信するために使用される。様々な態様において、基地局２０００は、複数の受信機２００２及び複数の送信機２００４（例えば、各々のセクターのための個々の受信機２００２及び各々のセクターのための個々の送信機２００４）を使用しても良い。プロセッサ２００６は、例えば、汎用中央演算処理装置（ＣＰＵ）であっても良い。プロセッサ２００６は、メモリ２０１０に格納される１又は複数のルーチン２０１８の指示の下で基地局２０００のオペレーションを制御し、諸方法を実行する。Ｉ／Ｏインタフェース２００８は、他のネットワーク・ノードに対するコネクションを提供し、ＢＳ ２０００を、他の基地局、アクセス・ルータ、ＡＡＡサーバー・ノードなど、他のネットワーク、及び、インターネットに接続させる。メモリ２０１０は、ルーチン群２０１８及びデータ／情報２０２０を含む。
【００８２】
データ／情報２０２０は、データ２０３６、ダウンリンク・ストリップシンボル・タイム情報２０４０及びダウンリンク・トーン情報２０４２を含むトーン・サブセット・アロケーション・シーケンス情報２０３８、並びに、複数セットのＷＴ情報（ＷＴ １情報２０４６、ＷＴ Ｎ情報２０６０）を含む無線端末（ＷＴ）データ／情報２０４４を含む。各々のセットのＷＴ情報（例えば、ＷＴ１情報２０４６）は、データ２０４８、端末ＩＤ ２０５０、セクターＩＤ ２０５２、アップリンク・チャネル情報２０５４、ダウンリンク・チャネル情報２０５６、及びモード情報２０５８を含む。
【００８３】
ルーチン群２０１８は、通信ルーチン群２０２２及び基地局制御ルーチン群２０２４を含む。基地局制御ルーチン群２０２４は、スケジューラ・モジュール２０２６、及び、ストリップシンボル期間のためのトーン・サブセット・アロケーション・ルーチン２０３０と残りのシンボル期間（例えば、非ストリップシンボル期間）のための他のダウンリンク・トーン・アロケーション・ホッピング・ルーチン２０３２とビーコン・ルーチン２０３４を含むシグナリング・ルーチン２０２８を含む。
【００８４】
データ２０３６は、ＷＴへの送信に先立つ復号化のために送信機２００４のエンコーダ２０１４に送られる、送信されるべきデータ、及び、受信に続いて受信機２００２のデコーダ２０１２を通して処理された、ＷＴからの受信データを含む。ダウンリンク・ストリップシンボル・タイム情報２０４０は、例えばスーパースロット、ビーコンスロット、及びウルトラスロットの構造情報などのフレーム同期構造情報、及び、与えられたシンボル期間がストリップシンボル期間かどうかを識別するとともに、そうである場合にそのストリップシンボル期間のインデックスを識別し且つそのストリップシンボルが基地局により使用されるトーン・サブセット・アロケーション・シーケンスをトランケート（truncate）するためのリセット・ポイントかどうかを識別する情報を含む。ダウンリンク・トーン情報２０４２は、基地局２０００に割り当てられるキャリア周波数、トーンの数及び周波数、及び、ストリップシンボル期間に割り当てられるべきトーン・サブセットのセット、並びに、例えばスロープ、スロープ・インデックス及びセクター・タイプなどの、他のセル及びセクターに特有の値を含む情報を含む。
【００８５】
データ２０４８は、ＷＴ１ ２１００がピア・ノードから受信したデータ、ＷＴ１ ２１００がピア・ノードに送信されることを望むデータ、及び、ダウンリンク・チャネル品質レポート・フィードバック情報を含んでも良い。端末ＩＤ ２０５０は、基地局２０００に割り当てられた、ＷＴ １ ２１００を識別するＩＤである。セクターＩＤ ２０５２は、ＷＴ１ ２１００が動作しているセクターを識別する情報を含む。セクターＩＤ ２０５２は、例えば、セクター・タイプを判定するために使用されることができる。アップリンク・チャネル情報２０５４は、例えばデータ用のアップリンク・トラフィック・チャネル・セグメント、リクエスト用の専用アップリンク制御チャネル、電力制御、タイミング制御などを使用するために、スケジューラ２０２６によりＷＴ１ ２１００に対して割り当てられたチャネル・セグメントを識別する情報を含む。ＷＴ１ ２１００に割り当てられる各々のアップリンク・チャネルは、１又は複数の論理トーンを含む。各々の論理トーンは、アップリンク・ホッピング・シーケンスに続く。ダウンリンク・チャネル情報２０５６は、データ及び／又は情報をＷＴ１ ２１００へ運ぶために、スケジューラ２０２６により割り当てられたチャネル・セグメント（例えばユーザ・データのためのダウンリンク・トラフィック・チャネル・セグメント）を識別する情報を含む。ＷＴ１ ２１００に割り当てられる各々のダウンリンク・チャネルは、１又は複数の論理トーンを含む。おのおのは、ダウンリンク・ホッピング・シーケンスに続く。モード情報２０５８は、ＷＴ１ ２１００の動作の状態（例えば、スリープ（sleep）、ホールド（hold）、オン（on））を識別する情報を含む。
【００８６】
通信ルーチン群２０２２は、様々な通信オペレーションを実行するように基地局２０００を制御し、また、様々な通信プロトコルを実行する。基地局制御ルーチン群２０２４は、基本的な基地局の機能タスク（例えば、信号生成及び受信、スケジューリング）を実行するように基地局２０００を制御するために、また、ストリップシンボル期間の間にトーン・サブセット・アロケーション・シーケンスをしようして無線端末に信号を送信することを含む、幾つかの態様の方法における諸ステップを実行するために、使用されることができる。
【００８７】
シグナリング・ルーチン２０２８は、そのエンコーダ２０１４により受信機２００２の動作を制御し、また、そのデコーダ２０１２により送信機２００４の動作を制御する。シグナリング・ルーチン２０２８は、送信されるデータ２０３６及び制御情報の生成を制御する役割を果たす。トーン・サブセット・アロケーション・ルーチン２０３０は、本態様の方法を使用して、また、ダウンリンク・ストリップシンボル・タイム情報２０４０及びセクターＩＤ ２０５２を含むデータ／情報２０２０を使用して、ストリップシンボル期間において使用されるべきトーン・サブセットを構築する。ダウンリンク・トーン・サブセット・アロケーション・シーケンスは、一つのセルの各々のセクター・タイプについて異なり、また、隣接する複数のセルについて異なるであろう。ＷＴ ２１００は、ダウンリンク・トーン・サブセット・アロケーション・シーケンスに従って、ストリップシンボル期間において信号を受信する;基地局２０００は、送信される信号を生成するために、同一のダウンリンク・トーン・サブセット・アロケーション・シーケンスを使用する。他のダウンリンク・トーン・アロケーション・ホッピング・ルーチン２０３２は、ストリップシンボル期間とは異なるシンボル期間のために、ダウンリンク・トーン情報２０４２、及びダウンリンク・チャネル情報２０５６を含む情報を用いて、ダウンリンク・トーン・ホッピング・シーケンスを構築する。ダウンリンク・データ・トーン・ホッピング・シーケンスは、一つのセルの複数のセクターにわたって同期する。ビーコン・ルーチン２０３４は、ビーコン信号（例えば、一つ又は多少のトーンに集中された比較的高い電力信号の信号）の送信を制御する。そして、それは、同期の目的で、例えば、ダウンリンク信号のフレーム・タイミング構造を、したがって、ウルトラスロットの境界線に関するトーン・サブセット・アロケーション・シーケンスを、同期させるために、使用されても良い。
【００８８】
図２１は、図１９に示されるシステム１９００の無線端末（例えば、エンド・ノード、モバイル・デバイス、…）（例えば、ＥＮ（１） １９３６）の任意の一つとして使用されることができる例示的な無線端末（例えば、エンド・ノード、モバイル・デバイス、…）２１００を説明する。無線端末２１００は、トーン・サブセット・アロケーション・てシーケンスを実行する。無線端末２１００は、デコーダ２１１２を含む受信機２１０２、エンコーダ２１１４を含む送信機２１０４、プロセッサ２１０６、及び、各種のエレメント２１０２，２１０４，２１０６，２１０８がその上でデータ及び情報を交換することができるバス２１１０により共に接続されるメモリ２１０８を含む。基地局２０００（及び／又は、異なる無線端末）からの信号を受信するのために使用されるアンテナ２１０３は、受信機２１０２に接続される。例えば基地局２０００（及び／又は、異なる無線端末）へ、信号を送信するために使用されるアンテナ２１０５は、送信機２１０４に接続される。
【００８９】
プロセッサ２１０６（例えば、ＣＰＵ）は、メモリ２１０８中のルーチン群２１２０を実行すること及びデータ／情報２１２２を使用することによって、無線端末２１００のオペレーションを制御し、及び、諸方法を実行する。
【００９０】
データ／情報２１２２は、ユーザ・データ２１３４、ユーザ情報２１３６、及びトーン・サブセット・アロケーション・シーケンス情報２１５０を含む。ユーザ・データ２１３４は、送信機２１０４による基地局２０００への送信に先立つ符号化のためにエンコーダ２１１４に送られる、ピア・ノードに向けられたデータ、及び、基地局２０００から受信され、受信機２１０２中のデコーダ２１１２により処理されたデータを含んでも良い。ユーザ情報２１３６は、アップリンク・チャネル情報２１３８、ダウンリンク・チャネル情報２１４０、端末ＩＤ情報２１４２、基地局ＩＤ情報２１４４、セクターＩＤ情報２１４６、及びモード情報２１４８を含む。アップリンク・チャネル情報２１３８は、基地局２０００により、基地局２０００への送信にあたって使用するために無線端末２１００に対して割り当てられたアップリンク・チャネル・セグメントを識別する情報を含む。アップリンク・チャネルは、アップリンク・トラフィック・チャネル、専用アップリンク制御チャネル（例えば、リクエスト・チャネル、電力制御チャネル及びタイミング制御チャネル）を含んでも良い。各々のアップリンク・チャネルは、１又は複数の論理トーンを含む。各々の論理トーンは、アップリンク・トーン・ホッピング・シーケンスに続く。アップリンク・ホッピング・シーケンスは、一つのセルの各々のセクター・タイプの間で異なり、また、隣接する複数のセルの間で異なる。ダウンリンク・チャネル情報２１４０は、基地局２０００により、ＢＳ ２０００がＷＴ ２１００にデータ／情報を送信しているときの使用のためにＷＴ ２１００に対して割り当てられたダウンリンク・チャネル・セグメントを識別する情報を含む。ダウンリンク・チャネルは、ダウンリンク・トラフィック・チャネル及びアサインメント・チャネルを含んでも良い。各々のダウンリンク・チャネルは、１又は複数の論理トーンを含む。各々の論理トーンは、ダウンリンク・ホッピング・シーケンスに続く。そして、それは、そのセルの各々のセクターの間で同期される。
【００９１】
ユーザ情報２１３６はまた、基地局２０００に割り当てられた識別情報である端末ＩＤ情報２１４２、ＷＴが通信を確立した特定の基地局２０００を識別する基地局ＩＤ情報２１４４、及び、ＷＴ ２０００が現在位置するセルの特定のセクターを識別するセクターＩＤ情報２１４６を含む。基地局ＩＤ ２１４４は、セルのスロープ値を提供し、セクターＩＤ情報２１４６は、セクター・インデックス・タイプを提供する;セルのスロープ値及びセクター・インデックス・タイプは、トーン・ホッピング・シーケンスを得るために使用されても良い。ユーザ情報２１３６に含まれるモード情報２１４８はまた、ＷＴ ２１００がスリープ・モードにあるか、ホールド・モードにあるか、或いはオン・モードにあるかを識別する。
【００９２】
トーン・サブセット・アロケーション・シーケンス情報２１５０は、ダウンリンク・ストリップシンボル・タイム情報２１５２及びダウンリンク・トーン情報２１５４を含む。ダウンリンク・ストリップシンボル・タイム情報２１５２は、例えば、スーパースロット、ビーコンスロット、及びウルトラスロットの構造情報などのフレーム同期構造情報、及び、与えられたシンボル期間がストリップシンボル期間かどうかを識別するとともに、そうである場合にそのストリップシンボル期間のインデックスを識別し且つそのストリップシンボルが基地局により使用されるトーン・サブセット・アロケーション・シーケンスをトランケートするためのリセット・ポイントかどうか識別する情報を含む。ダウンリンク・トーン情報２１５４は、基地局２０００に割り当てられるキャリア周波数、トーンの数及び周波数、及び、ストリップシンボル期間に割り当てられるべきトーン・サブセットのセット、並びに、例えばスロープ、スロープ・インデックス及びセクター・タイプなどの、他のセル及びセクターに特有の値を含む情報を含む。
【００９３】
ルーチン群２１２０は、通信ルーチン群２１２４及び無線端末制御ルーチン群２１２６を含む。通信ルーチン群２１２４は、ＷＴ ２１００により使用される様々な通信プロトコルを制御する。例えば、通信ルーチン群２１２４は、ワイド・エリア・ネットワークを介して（例えば、基地局２０００と）通信すること、及び／又は、ローカル・エリア・ピア・ツー・ピア・ネットワークを介して（例えば、直接、異なる無線端末と）通信することを、可能にしても良い。更なる例として、通信ルーチン群２１２４は、ブロードキャスト信号を（例えば、基地局２０００から）受信することを可能にしても良い。無線端末制御ルーチン群２１２６は、受信機２１０２及び送信機２１０４の制御を含む基本的な無線端末２１００の機能性を制御する。
【００９４】
図２２を参照して、マルチキャリア環境において静的干渉バジェットを利用することによりアップリンク伝送をスケジュールすることを可能にするシステム２２００が説明される。例えば、システム２２００は、少なくとも部分的に基地局の内部に存在することができる。システム２２００は、機能ブロック（それは、プロセッサ、ソフトウェア、又はそれらの組み合せ（例えば、ファームウェア）により実装される機能を表す機能ブロックであることができる）を含むものとして表されることは、認識されるべきである。システム２２００は、共に動作することができる電気コンポーネントの論理グループ２２０２を含む。例えば、論理グループ２２０２は、第１の干渉バジェット・レベルに基づいて、第１のタイム・スロットの間の第１のチャネルの上での第１のセクターからのアップリンク伝送について第１のモバイル・デバイスをスケジュールするための電気コンポーネント２２０４を含むことができる。さらに、論理グループ２２０２は、第２の干渉バジェット・レベルに基づいて、第１のタイム・スロットの間の第２のチャネルの上での第１のセクターからのアップリンク伝送について第２のモバイル・デバイスをスケジュールするための電気コンポーネント２２０６を含むことができる。さらに、論理グループ２２０２は、スケジュールされたモバイル・デバイスへ、アップリンク伝送に関係するアサインメントを送信するための電気コンポーネント２２０８を含むことができる。さらに、システム２２００は、電気コンポーネント２２０４，２２０６及び２２０８に関連する機能を実行するためのインストラクションを保持するメモリ２２１０を含むことができる。メモリ２２１０の外部に存在するように示されるが、電気コンポーネント２２０４，２２０６及び２２０８のうちの一つ又は複数は、メモリ２２１０の内部に存在することができることは、理解されるべきである。
【００９５】
図２３を参照して、動的干渉バジェットを利用することによりアップリンク伝送をスケジュールすることを可能にするシステム２３００が説明される。システム２３００は、少なくとも部分的に基地局の内部に存在することができる。システム２３００は、機能ブロック（それは、プロセッサ、ソフトウェア、又はそれらの組み合せ（例えば、ファームウェア）により実装される機能を表す機能ブロックであることができる）を含むものとして表されることは、認識されるべきである。システム２３００は、共に動作することができる電気コンポーネントの論理グループ２３０２を含む。例えば、論理グループ２３０２は、第１の干渉バジェット・レベルに基づいて、第１のタイム・スロットの間の第１のチャネルの上での第１のセクターからのアップリンク伝送について第１のモバイル・デバイスをスケジュールするための電気コンポーネント２３０４を含むことができる。さらに、論理グループ２３０２は、第２の干渉バジェット・レベルに基づいて、第２のタイム・スロットの間の第１のチャネルの上での第１のセクターからのアップリンク伝送について第２のモバイル・デバイスをスケジュールするための電気コンポーネント２３０６を含むことができる。さらに、論理グループ２３０２は、スケジュールされたモバイル・デバイスへ、アップリンク伝送に関係のあるアサインメントを送信するための電気コンポーネント２３０８を含むことができる。さらに、システム２３００は、電気コンポーネント２３０４，２３０６及び２３０８に関連する機能を実行するためのインストラクションを保持するメモリ２３１０を含むことができる。メモリ２３１０の外部に存在するように示されるが、電気コンポーネント２３０４，２３０６及び２３０８のうちの一つ又は複数は、メモリ２３１０の内部に存在することができることは、理解されるべきである。
【００９６】
図２４を参照して、静的負荷オフセット・レベルを利用することによりアップリンク伝送をスケジュールすることを可能にするシステム２４００が説明される。例えば、システム２４００は、少なくとも部分的に基地局の内部に存在することができる。システム２４００は、機能ブロック（それは、プロセッサ、ソフトウェア、又はそれらの組み合せ（例えば、ファームウェア）により実装される機能を表す機能ブロックであることができる）を含むものとして表されることは、認識されるべきである。システム２４００は、共に動作することができる電気コンポーネントの論理グループ２４０２を含む。例えば、論理グループ２４０２は、第１のチャネルに関係するパス・ロス率を解析するために使用される第１の負荷率をブロードキャストするための電気コンポーネント２４０４を含むことができる。例えば、第１の負荷率は、少なくとも第１の負荷オフセット・レベルに基づくことができる。さらに、論理グループ２４０２は、第２のチャネルに関係するパス・ロス率を解析するために使用される第２の負荷率をブロードキャストするための電気コンポーネント２４０６を含むことができる。第２の負荷率は、例えば、少なくとも第２の負荷オフセット・レベルに基づくことができる。さらに、論理グループ２４０２は、解析されたパス・ロス率に関係する少なくとも一つのモバイル・デバイスからチャネル品質レポートを得るための電気コンポーネント２４０８を含むことができる。論理グループ２４０２は、チャネル品質レポートに基づいて、第１のチャネルの上でのアップリンク伝送について第１のモバイル・デバイスをスケジュールするための電気コンポーネント２４１０を更に含むことができる。論理グループ２４０２はまた、チャネル品質レポートに基づいて、第２のチャネルの上でのアップリンク伝送について第２のモバイル・デバイスをスケジュールするための電気コンポーネント２４１２を含むことができる。さらに、論理グループ２４０２は、スケジュールされたモバイル・デバイスへ、アサインメントを送信するための電気コンポーネント２４１４を含むことができる。さらに、システム２４００は、電気コンポーネント２４０４，２４０６，２４０８，２４１０，２４１２及び２４１４に関連する機能を実行するためのインストラクションを保持するメモリ２４１６を含むことができる。メモリ２４１６の外部に存在するように示されるが、電気コンポーネント２４０４，２４０６，２４０８，２４１０，２４１２及び２４１４のうちの一つ又は複数は、メモリ２４１６の内部に存在することができることは、理解されるべきである。
【００９７】
図２５を参照して、動的負荷オフセット・レベル・パターンを利用することによりアップリンク伝送をスケジュールすることを可能にするシステム２５００が説明される。例えば、システム２５００は、少なくとも部分的に基地局の内部に存在することができる。システム２５００は、機能ブロック（それは、プロセッサ、ソフトウェア、又はそれらの組み合せ（例えば、ファームウェア）により実装される機能を表す機能ブロックであることができる）を含むものとして表されることは、認識されるべきである。システム２５００は、共に動作することができる電気コンポーネントの論理グループ２５０２を含む。例えば、論理グループ２５０２は、第１のタイム・スロットに基づく第１の時間変化する負荷オフセット・レベル・パターンから判定される第１の負荷率をブロードキャストするための電気コンポーネント２５０４を含むことができる。例えば、第１の負荷率は、第１の負荷オフセット・レベルに基づくことができる。さらに、論理グループ２５０２は、第２のタイム・スロットに基づく第１の時間変化する負荷オフセット・レベル・パターンから決められた第２の負荷率をブロードキャストするための電気コンポーネント２５０６を含むことができる。第２の負荷率は、例えば、第２の負荷オフセット・レベルに基づくことができる。さらに、論理グループ２５０２は、解析されたパス・ロス率に関係する少なくとも一つのモバイル・デバイスからチャネル品質レポートを得るための電気コンポーネント２５０８を含むことができる。論理グループ２５０２は、チャネル品質レポート及び第１の負荷率に基づいて、第１のタイム・スロットの間のアップリンク伝送について第１のモバイル・デバイスをスケジュールするための電気コンポーネント２５１０を更に含むことができる。論理グループ２５０２はまた、チャネル品質レポート及び第２の負荷率に基づいて、第２のタイム・スロットの間のアップリンク伝送について第２のモバイル・デバイスをスケジュールするための電気コンポーネント２５１２を含むことができる。さらに、論理グループ２５０２は、スケジュールされたモバイル・デバイスへ、アサインメントを送信するための電気コンポーネント２５１４を含むことができる。さらに、システム２５００は、電気コンポーネント２５０４，２５０６，２５０８，２５１０，２５１２及び２５１４に関連する機能を実行するためのインストラクションを保持するメモリ２５１６を含むことができる。メモリ２５１６の外部に存在するように示されるが、電気コンポーネント２５０４，２５０６，２５０８，２５１０，２５１２及び２５１４のうちの一つ又は複数は、メモリ２５１６の内部に存在することができることは、理解されるべきである。
【００９８】
図２６を参照して、動的負荷オフセット・レベル・パターンに基づいて干渉比を評価することを可能にするシステム２６００が説明される。システム２６００は、少なくとも部分的に基地局の内部に存在することができる。システム２６００は、機能ブロック（それは、プロセッサ、ソフトウェア、又はそれらの組み合せ（例えば、ファームウェア）により実装される機能を表す機能ブロックであることができる）を含むものとして表されることは、認識されるべきである。システム２６００は、共に動作することができる電気コンポーネントの論理グループ２６０２を含む。例えば、論理グループ２６０２は、第１のタイム・スロットにおける第１の基地局からの第１の負荷オフセット情報に少なくとも基づいて、第１の負荷率を得るための電気コンポーネント２６０４を含むことができる。さらに、論理グループ２６０２は、第１の負荷オフセット情報から第１の負荷オフセット・レベル・パターンを判定するための電気コンポーネント２６０６を含むことができる。さらに、論理グループ２６０２は、第１の負荷オフセット・レベル・パターンから判定された第１の負荷オフセット・レベルに基づいて、第２のタイム・スロットにおける第１の干渉比を評価するための電気コンポーネント２６０８を含むことができる。論理グループ２６０２はまた、第２のタイム・スロットにおける第１の干渉比を含む信号を第１の基地局へ送信するための電気コンポーネント２６１０を含むことができる。さらに、システム２６００は、電気コンポーネント２６０４，２６０６，２６０８及び２６１０に関連する機能を実行するためのインストラクションを保持するメモリ２６１２を含むことができる。メモリ２６１２の外部に存在するように示されるが、電気コンポーネント２６０４，２６０６，２６０８及び２６１０のうちの一つ又は複数は、メモリ２６１２の内部に存在することができることは、理解されるべきである。
【００９９】
実施態様がソフトウェア、ファームウェア、ミドルウェア又はマイクロコード、プログラム・コード又はコード・セグメントにより実装される場合に、それらは例えばストレージ・コンポーネントのような機械読み取り可能な媒体に記憶されても良い。コード・セグメントは、プロシージャー、関数、サブプログラム、プログラム、ルーチン、サブルーチン、モジュール、ソフトウェア・パッケージ、クラス、又はインストラクション、データ構造、若しくはプログラム文の任意の組み合わせを表しても良い。コード・セグメントは、情報、データ、引数、パラメータ、又は記憶内容を、パスする及び／又は受け取ることによって、他のコード・セグメント又はハードウェア回路と連結されても良い。情報、引数、パラメータ、データなどは、メモリ・シェアリング、メッセージ・パッシング、トークン・パッシング、ネットワーク伝送などを含む任意の適用な手段を使用して、パスされ、フォワードされ又は送信されても良い。
【０１００】
ソフトウェア実装について、本明細書で説明される技術は、本明細書で説明される機能を実行するモジュール（例えば、プロシージャー、関数など）で実現されても良い。ソフトウェア・コードは、メモリ・ユニットに記憶され、プロセッサにより実行されても良い。メモリ・ユニットは、プロセッサの内部又はプロセッサの外部に実装可能である。その場合において、それは、当該技術において知られているような様々な手段によって、通信可能に該プロセッサに接続できる。
【０１０１】
上に説明されたことは、１又は複数の実施形態の例を含む。前述の実施形態を説明することを目的としてコンポーネント又は手順の考えられる組み合わせをすべて説明することは、もちろん、可能ではないが、様々な実施形態の多数のさらなる組み合わせ又は置換が可能であることを当業者は認識するであろう。したがって、説明された実施形態は、添付のクレームの精神及び範囲内に含まれるそのような変更、修正及び変形をすべて包含することを意図されている。さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。
【図１】
2011504706.tif 000006
【図２】
2011504706.tif 000007
【図３】
2011504706.tif 000008
【図４】
2011504706.tif 000009
【図５】
2011504706.tif 000010
【図６】
2011504706.tif 000011
【図７】
2011504706.tif 000012
【図８】
2011504706.tif 000013
【図９】
2011504706.tif 000014
【図１０】
2011504706.tif 000015
【図１１】
2011504706.tif 000016
【図１２】
2011504706.tif 000017
【図１３】
2011504706.tif 000018
【図１４】
2011504706.tif 000019
【図１５】
2011504706.tif 000020
【図１６】
2011504706.tif 000021
【図１７】
2011504706.tif 000022
【図１８】
2011504706.tif 000023
【図１９】
2011504706.tif 000024
【図２０】
2011504706.tif 000025
【図２１】
2011504706.tif 000026
【図２２】
2011504706.tif 000027
【図２３】
2011504706.tif 000028
【図２４】
2011504706.tif 000029
【図２５】
2011504706.tif 000030
【図２６】
2011504706.tif 000031
【国際調査報告】
2011504706.tif 000032
2011504706.tif 000033
2011504706.tif 000034